(57)【要約】【課題】適切な隣接セル情報を生成することにより、無線通信システムにおける動作の効率化を図ることが可能な隣接セル処理装置および隣接セル処理方法を提供する。【解決手段】隣接セル処理装置は、少なくとも対象の無線基地局装置以外の複数の無線基地局装置の属性を示す属性情報を取得するための属性情報取得部１１と、属性情報取得部１１によって取得された属性情報に基づいて、対象の無線基地局装置以外の複数の無線基地局装置のうち、対象の無線基地局装置の周辺に配置された１または複数の無線基地局装置を示す隣接セル情報を生成するための隣接セル情報生成部１２とを備える。【選択図】図６
2012070074.tif 000002
【特許請求の範囲】
【請求項１】
無線端末装置が移動動作を行なうことにより複数の無線基地局装置と通信可能な通信システムにおける隣接セル処理装置であって、
少なくとも対象の前記無線基地局装置以外の複数の前記無線基地局装置の属性を示す属性情報を取得するための属性情報取得部と、
前記属性情報取得部によって取得された前記属性情報に基づいて、対象の前記無線基地局装置以外の複数の前記無線基地局装置のうち、前記対象無線基地局装置の周辺に配置された１または複数の前記無線基地局装置を示す隣接セル情報を生成するための隣接セル情報生成部と、
前記隣接セル情報生成部によって生成された前記隣接セル情報を前記対象無線基地局装置または前記対象無線基地局装置と通信可能な無線端末装置へ送信するための隣接セル情報送信部とを備える、隣接セル処理装置。
【請求項２】
前記隣接セル情報生成部は、前記属性情報取得部によって取得された前記属性情報に基づいて、対象の前記無線基地局装置以外の複数の前記無線基地局装置を順位付けし、順位付けの結果に基づいた隣接セル情報を生成する、請求項１に記載の隣接セル処理装置。
【請求項３】
前記隣接セル情報生成部は、順位付けした複数の前記無線基地局装置のうち、上位からＮ個（Ｎは１以上の整数）の前記無線基地局装置を示す隣接セル情報を生成する、請求項２に記載の隣接セル処理装置。
【請求項４】
前記隣接セル情報生成部は、順位付けした前記無線基地局装置の順位をさらに示す隣接セル情報を生成する、請求項２または３に記載の隣接セル処理装置。
【請求項５】
前記隣接セル情報生成部は、前記属性情報の示す属性が所定の属性と一致するか否かに基づいて、前記対象無線基地局装置以外の複数の前記無線基地局装置を前記隣接セル情報に登録するか否かをそれぞれ決定する、請求項１から４のいずれか１項に記載の隣接セル処理装置。
【請求項６】
前記属性情報取得部は、前記対象無線基地局装置の属性をさらに示す属性情報を取得し、
前記隣接セル情報生成部は、前記属性情報取得部によって取得された前記属性情報の示す前記対象無線基地局装置の属性、および前記対象無線基地局装置以外の複数の前記無線基地局装置の属性に基づいて前記隣接セル情報を生成する、請求項１から５のいずれか１項に記載の隣接セル処理装置。
【請求項７】
前記通信システムにおける前記複数の無線基地局装置のうちの少なくともいずれかはフェムト基地局である、請求項１から６のいずれか１項に記載の隣接セル処理装置。
【請求項８】
前記属性情報取得部は、少なくとも前記対象無線基地局装置以外の複数の前記無線基地局装置がマクロ基地局であるかフェムト基地局であるかを示す属性情報を取得する、請求項１から７のいずれか１項に記載の隣接セル処理装置。
【請求項９】
前記隣接セル情報生成部は、前記属性情報取得部によって取得された前記属性情報に基づいて、前記対象無線基地局装置以外の複数の前記無線基地局装置を順位付けし、前記順位付けにおいて、マクロ基地局である前記無線基地局装置の順位を、フェムト基地局である前記無線基地局装置よりも上げる、請求項８に記載の隣接セル処理装置。
【請求項１０】
前記隣接セル情報生成部は、前記属性情報取得部によって取得された前記属性情報に基づいて、前記対象無線基地局装置以外の複数の前記無線基地局装置を順位付けし、前記順位付けにおいて、フェムト基地局である前記無線基地局装置の順位を、マクロ基地局である前記無線基地局装置よりも上げる、請求項８に記載の隣接セル処理装置。
【請求項１１】
前記隣接セル情報生成部は、前記対象無線基地局装置以外の複数の前記無線基地局装置の中から、前記属性情報の示す属性がマクロ基地局である前記無線基地局装置またはフェムト基地局である前記無線基地局装置を少なくとも除いた前記隣接セル情報を生成する、請求項８に記載の隣接セル処理装置。
【請求項１２】
前記通信システムにおける前記複数の無線基地局装置のうちの少なくともいずれか２つは、すべての前記無線端末装置に対して通信を許可するオープンアクセスモードで動作するか、前記無線端末装置を登録することが可能であり、登録された前記無線端末装置に対して通信を許可するクローズドアクセスモードで動作するか、または前記無線端末装置を登録することが可能であり、登録された前記無線端末装置および登録されていない前記無線端末装置の両方に対して通信を許可するハイブリッドモードで動作するかを設定可能なフェムト基地局であり、
前記属性情報取得部は、フェムト基地局である前記無線基地局装置が、前記オープンアクセスモード、前記クローズドアクセスモードおよび前記ハイブリッドモードのいずれで動作しているかをさらに示す属性情報を取得する、請求項８から１１のいずれか１項に記載の隣接セル処理装置。
【請求項１３】
前記隣接セル情報生成部は、前記属性情報取得部によって取得された前記属性情報に基づいて、前記対象無線基地局装置以外の複数の前記無線基地局装置を順位付けし、前記順位付けにおいて、マクロ基地局である前記無線基地局装置、前記オープンアクセスモードで動作するフェムト基地局である前記無線基地局装置、前記ハイブリッドモードで動作するフェムト基地局である前記無線基地局装置および前記クローズドアクセスモードで動作するフェムト基地局である前記無線基地局装置の順位をこの順番で高くする、請求項１２に記載の隣接セル処理装置。
【請求項１４】
前記隣接セル情報生成部は、前記対象無線基地局装置以外の複数の前記無線基地局装置の中から、マクロ基地局である前記無線基地局装置、前記オープンアクセスモードで動作するフェムト基地局である前記無線基地局装置、前記ハイブリッドモードで動作するフェムト基地局である前記無線基地局装置および前記クローズドアクセスモードで動作するフェムト基地局である前記無線基地局装置の４種類のうちの１種類、２種類または３種類を少なくとも除いた前記隣接セル情報を生成する、請求項１２に記載の隣接セル処理装置。
【請求項１５】
前記通信システムにおける前記複数の無線基地局装置のうちの少なくともいずれか２つは、すべての前記無線端末装置に対して通信を許可するオープンアクセスモードで動作するか、前記無線端末装置を登録することが可能であり、登録された前記無線端末装置に対して通信を許可するクローズドアクセスモードで動作するか、または前記無線端末装置を登録することが可能であり、登録された前記無線端末装置および登録されていない前記無線端末装置の両方に対して通信を許可するハイブリッドモードで動作するかを設定可能であり、
前記属性情報取得部は、少なくとも前記対象無線基地局装置以外の複数の前記無線基地局装置が、前記オープンアクセスモード、前記クローズドアクセスモードおよび前記ハイブリッドモードのいずれで動作しているかを示す属性情報を取得する、請求項１から７のいずれか１項に記載の隣接セル処理装置。
【請求項１６】
前記隣接セル情報生成部は、前記属性情報取得部によって取得された前記属性情報に基づいて、前記対象無線基地局装置以外の複数の前記無線基地局装置を順位付けし、前記順位付けにおいて、前記オープンアクセスモードで動作する前記無線基地局装置、前記ハイブリッドモードで動作する前記無線基地局装置および前記クローズドアクセスモードで動作する前記無線基地局装置の順位をこの順番で高くする、請求項１５に記載の隣接セル処理装置。
【請求項１７】
前記隣接セル情報生成部は、前記対象無線基地局装置以外の複数の前記無線基地局装置の中から、前記オープンアクセスモードで動作する前記無線基地局装置、前記ハイブリッドモードで動作する前記無線基地局装置および前記クローズドアクセスモードで動作する前記無線基地局装置の３種類のうちの１種類または２種類を少なくとも除いた前記隣接セル情報を生成する、請求項１５に記載の隣接セル処理装置。
【請求項１８】
前記無線基地局装置は、前記クローズドアクセスモードまたは前記ハイブリッドモードで動作する場合において、設定された加入者グループに属しており、同じ前記加入者グループに属する前記無線端末装置に対して通信を許可し、
前記属性情報取得部は、前記対象無線基地局装置、および前記対象無線基地局装置以外の複数の前記無線基地局装置が、前記オープンアクセスモード、前記クローズドアクセスモードおよび前記ハイブリッドモードのいずれで動作しているかをさらに示し、かつ前記対象無線基地局装置、および前記対象無線基地局装置以外の複数の前記無線基地局装置がそれぞれ属する前記加入者グループをさらに示す属性情報を取得する、請求項１２から１７のいずれか１項に記載の隣接セル処理装置。
【請求項１９】
前記隣接セル情報生成部は、前記属性情報取得部によって取得された前記属性情報に基づいて、前記対象無線基地局装置以外の複数の前記無線基地局装置を順位付けし、前記順位付けにおいて、前記対象無線基地局装置と同じ前記加入者グループに属する前記無線基地局装置の順位を、前記対象無線基地局装置と異なる前記加入者グループに属する前記無線基地局装置よりも上げる、請求項１８に記載の隣接セル処理装置。
【請求項２０】
前記隣接セル情報生成部は、前記属性情報取得部によって取得された前記属性情報に基づいて、前記対象無線基地局装置以外の複数の前記無線基地局装置を順位付けし、前記対象無線基地局装置が前記クローズドアクセスモードで動作している場合には、前記順位付けにおいて、前記クローズドアクセスモードで動作し、かつ前記対象無線基地局装置と同じ前記加入者グループに属する前記無線基地局装置、前記ハイブリッドモードで動作し、かつ前記対象無線基地局装置と同じ前記加入者グループに属する前記無線基地局装置、前記オープンアクセスモードで動作する前記無線基地局装置、前記ハイブリッドモードで動作し、かつ前記対象無線基地局装置と異なる前記加入者グループに属する前記無線基地局装置をこの順番で高くする、請求項１９に記載の隣接セル処理装置。
【請求項２１】
前記属性情報取得部は、前記対象無線基地局装置以外の複数の前記無線基地局装置がマクロ基地局であるかフェムト基地局であるかをさらに示す属性情報を取得し、
前記隣接セル情報生成部は、前記属性情報取得部によって取得された前記属性情報に基づいて、前記対象無線基地局装置以外の複数の前記無線基地局装置を順位付けし、前記対象無線基地局装置が前記クローズドアクセスモードで動作するフェムト基地局である場合には、前記順位付けにおいて、前記クローズドアクセスモードで動作し、かつ前記対象無線基地局装置と同じ前記加入者グループに属するフェムト基地局である前記無線基地局装置、前記ハイブリッドモードで動作し、かつ前記対象無線基地局装置と同じ前記加入者グループに属するフェムト基地局である前記無線基地局装置、マクロ基地局である前記対象無線基地局装置、前記オープンアクセスモードで動作するフェムト基地局である前記無線基地局装置、前記ハイブリッドモードで動作し、かつ前記対象無線基地局装置と異なる前記加入者グループに属するフェムト基地局である前記無線基地局装置をこの順番で高くする、請求項２０に記載の隣接セル処理装置。
【請求項２２】
前記隣接セル情報生成部は、前記対象無線基地局装置が前記クローズドアクセスモードで動作している場合には、前記対象無線基地局装置以外の複数の前記無線基地局装置の中から、前記クローズドアクセスモードで動作し、かつ前記対象無線基地局装置と同じ前記加入者グループに属する前記無線基地局装置、前記ハイブリッドモードで動作し、かつ前記対象無線基地局装置と同じ前記加入者グループに属する前記無線基地局装置、前記オープンアクセスモードで動作する前記無線基地局装置、および前記ハイブリッドモードで動作し、かつ前記対象無線基地局装置と異なる前記加入者グループに属する前記無線基地局装置の４種類のうちの１種類、２種類または３種類を少なくとも除いた前記隣接セル情報を生成する、請求項１８に記載の隣接セル処理装置。
【請求項２３】
前記属性情報取得部は、前記対象無線基地局装置以外の複数の前記無線基地局装置がマクロ基地局であるかフェムト基地局であるかをさらに示す属性情報を取得し、
前記隣接セル情報生成部は、前記対象無線基地局装置が前記クローズドアクセスモードで動作するフェムト基地局である場合には、前記対象無線基地局装置以外の複数の前記無線基地局装置の中から、前記クローズドアクセスモードで動作し、かつ前記対象無線基地局装置と同じ前記加入者グループに属するフェムト基地局である前記無線基地局装置、前記ハイブリッドモードで動作し、かつ前記対象無線基地局装置と同じ前記加入者グループに属するフェムト基地局である前記無線基地局装置、マクロ基地局である前記対象無線基地局装置、前記オープンアクセスモードで動作するフェムト基地局である前記無線基地局装置、および前記ハイブリッドモードで動作し、かつ前記対象無線基地局装置と異なる前記加入者グループに属するフェムト基地局である前記無線基地局装置の５種類のうちの１種類、２種類、３種類または４種類を少なくとも除いた前記隣接セル情報を生成する、請求項２２に記載の隣接セル処理装置。
【請求項２４】
前記属性情報取得部は、少なくとも前記対象無線基地局装置以外の複数の前記無線基地局装置が送信する無線信号の周波数を示す属性情報を取得する、請求項１から７のいずれか１項に記載の隣接セル処理装置。
【請求項２５】
前記属性情報取得部は、前記対象無線基地局装置、および前記対象無線基地局装置以外の複数の前記無線基地局装置が送信する無線信号の周波数を示す属性情報を取得し、
前記隣接セル情報生成部は、前記属性情報取得部によって取得された前記属性情報に基づいて、前記対象無線基地局装置以外の複数の前記無線基地局装置を順位付けし、前記順位付けにおいて、前記属性情報の示す前記周波数が、前記対象無線基地局装置から送信される無線信号の周波数と同じ前記無線基地局装置の順位を、周波数の異なる前記無線基地局装置よりも上げる、請求項２４に記載の隣接セル処理装置。
【請求項２６】
前記属性情報取得部は、前記対象無線基地局装置、および前記対象無線基地局装置以外の複数の前記無線基地局装置が送信する無線信号の周波数を示す属性情報を取得し、
前記隣接セル情報生成部は、前記属性情報取得部によって取得された前記属性情報に基づいて、前記対象無線基地局装置以外の複数の前記無線基地局装置を順位付けし、前記順位付けにおいて、前記属性情報の示す前記周波数が、前記対象無線基地局装置から送信される無線信号の周波数と異なる前記無線基地局装置の順位を、周波数の同じ前記無線基地局装置よりも上げる、請求項２４に記載の隣接セル処理装置。
【請求項２７】
前記隣接セル情報生成部は、前記順位付けにおいて、前記属性情報の示す前記周波数が、前記対象無線基地局装置から送信される無線信号の周波数に対して遠い前記無線基地局装置の順位を、前記対象無線基地局装置から送信される無線信号の周波数に対して近い前記無線基地局装置よりも上げる、請求項２６に記載の隣接セル処理装置。
【請求項２８】
前記属性情報取得部は、前記対象無線基地局装置、および前記対象無線基地局装置以外の複数の前記無線基地局装置が送信する無線信号の周波数を示す属性情報を取得し、
前記隣接セル情報生成部は、前記対象無線基地局装置以外の複数の前記無線基地局装置の中から、前記属性情報の示す前記周波数が、前記対象無線基地局装置から送信される無線信号の周波数と同じ前記無線基地局装置、または前記対象無線基地局装置から送信される無線信号の周波数と異なる前記無線基地局装置を少なくとも除いた前記隣接セル情報を生成する、請求項２４に記載の隣接セル処理装置。
【請求項２９】
前記属性情報取得部は、少なくとも前記対象無線基地局装置以外の複数の前記無線基地局装置の無線アクセス方式を示す属性情報を取得する、請求項１から７のいずれか１項に記載の隣接セル処理装置。
【請求項３０】
前記属性情報取得部は、前記対象無線基地局装置、および前記対象無線基地局装置以外の複数の前記無線基地局装置の無線アクセス方式を示す属性情報を取得し、
前記隣接セル情報生成部は、前記属性情報取得部によって取得された前記属性情報に基づいて、前記対象無線基地局装置以外の複数の前記無線基地局装置を順位付けし、前記順位付けにおいて、前記属性情報の示す前記無線アクセス方式が、前記対象無線基地局装置の無線アクセス方式と同じ前記無線基地局装置の順位を、無線アクセス方式の異なる前記無線基地局装置よりも上げる、請求項２９に記載の隣接セル処理装置。
【請求項３１】
前記属性情報取得部は、前記対象無線基地局装置、および前記対象無線基地局装置以外の複数の前記無線基地局装置の無線アクセス方式を示す属性情報を取得し、
前記隣接セル情報生成部は、前記属性情報取得部によって取得された前記属性情報に基づいて、前記対象無線基地局装置以外の複数の前記無線基地局装置を順位付けし、前記順位付けにおいて、前記属性情報の示す前記無線アクセス方式が、前記対象無線基地局装置の無線アクセス方式と異なる前記無線基地局装置の順位を、無線アクセス方式の同じ前記無線基地局装置よりも上げる、請求項２９に記載の隣接セル処理装置。
【請求項３２】
前記属性情報取得部は、前記対象無線基地局装置、および前記対象無線基地局装置以外の複数の前記無線基地局装置の無線アクセス方式を示す属性情報を取得し、
前記隣接セル情報生成部は、前記対象無線基地局装置以外の複数の前記無線基地局装置の中から、前記属性情報の示す前記無線アクセス方式が、前記対象無線基地局装置の無線アクセス方式と異なる前記無線基地局装置、または前記対象無線基地局装置の無線アクセス方式と同じ前記無線基地局装置を少なくとも除いた前記隣接セル情報を生成する、請求項２９に記載の隣接セル処理装置。
【請求項３３】
前記隣接セル情報生成部は、対象の前記無線基地局装置以外の複数の前記無線基地局装置のうち、前記対象無線基地局装置と通信する無線端末装置の移動先候補となる１または複数の前記無線基地局装置を示す隣接セル情報を生成する、請求項１から３２のいずれか１項に記載の隣接セル処理装置。
【請求項３４】
前記隣接セル情報生成部は、対象の前記無線基地局装置以外の複数の前記無線基地局装置のうち、前記無線端末装置の測定対象となる１または複数の前記無線基地局装置を示す隣接セル情報を生成する、請求項１から３２のいずれか１項に記載の隣接セル処理装置。
【請求項３５】
前記隣接セル情報生成部は、対象の前記無線基地局装置以外の複数の前記無線基地局装置のうち、前記無線端末装置が受信レベルを測定する対象となる無線信号を送信する１または複数の前記無線基地局装置を示す隣接セル情報を生成する、請求項１から３４のいずれか１項に記載の隣接セル処理装置。
【請求項３６】
前記隣接セル情報生成部は、対象の前記無線基地局装置以外の複数の前記無線基地局装置のうち、前記対象無線基地局装置と通信中でない前記無線端末装置が受信レベルを測定する対象となる無線信号を送信する１または複数の前記無線基地局装置を示す隣接セル情報を生成する、請求項３５に記載の隣接セル処理装置。
【請求項３７】
前記隣接セル情報生成部は、前記属性情報取得部によって取得された前記属性情報に基づいて、対象の前記無線基地局装置以外の複数の前記無線基地局装置を順位付けし、順位付けの結果に基づいた隣接セル情報を生成し、
前記隣接セル情報生成部は、前記対象無線基地局装置と通信する無線端末装置が、対象の前記無線基地局装置以外の前記無線基地局装置から送信される無線信号の受信レベルを複数の周波数において測定した結果に基づいて、前記隣接セル情報の初期情報を生成する、請求項１から３６のいずれか１項に記載の隣接セル処理装置。
【請求項３８】
前記隣接セル処理装置は、さらに、
前記対象無線基地局装置が、前記無線端末装置を登録することが可能であり、登録された前記無線端末装置および登録されていない前記無線端末装置の両方に対して通信を許可するハイブリッドモードで動作する場合には、登録されていない前記無線端末装置に対して、対象の前記無線基地局装置以外の前記無線基地局装置から送信される無線信号の受信レベルを前記複数の周波数において測定することを指示するための電力測定指示部を備える、請求項３７に記載の隣接セル処理装置。
【請求項３９】
前記隣接セル処理装置は、さらに、
前記対象無線基地局装置が、前記無線端末装置を登録することが可能であり、登録された前記無線端末装置および登録されていない前記無線端末装置の両方に対して通信を許可するハイブリッドモードで動作する場合には、登録された前記無線端末装置に対して、対象の前記無線基地局装置以外の前記無線基地局装置から送信される無線信号の受信レベルを前記複数の周波数において測定することを指示するための電力測定指示部を備える、請求項３７に記載の隣接セル処理装置。
【請求項４０】
前記隣接セル処理装置は、１または複数の前記無線基地局装置に含まれる、請求項１から３９のいずれか１項に記載の隣接セル処理装置。
【請求項４１】
無線端末装置が移動動作を行なうことにより複数の無線基地局装置と通信可能な通信システムにおける隣接セル処理方法であって、
少なくとも対象の前記無線基地局装置以外の複数の前記無線基地局装置の属性を示す属性情報を取得するステップと、
取得された前記属性情報に基づいて、対象の前記無線基地局装置以外の複数の前記無線基地局装置のうち、前記対象無線基地局装置の周辺に配置された１または複数の前記無線基地局装置を示す隣接セル情報を生成するステップと、
生成された前記隣接セル情報を前記対象無線基地局装置または前記対象無線基地局装置と通信可能な無線端末装置へ送信するステップとを含む、隣接セル処理方法。
【発明の詳細な説明】
【技術分野】
【０００１】
本発明は、隣接セル処理装置および隣接セル処理方法に関し、特に、無線端末装置が移動動作を行なうことにより複数の無線基地局装置と通信可能な通信システムにおける隣接セル処理装置および隣接セル処理方法に関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な宅内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
このような構成において、フェムト基地局を設置する際に１つ１つのフェムト基地局の設定を事業者またはフェムト基地局の購入者が行なっていくと、相当な作業と費用を要する。また、新たにフェムト基地局が設置されてフェムト基地局が増加するたびに、新たに設置されたフェムト基地局だけでなく、既存の周辺のフェムト基地局の再設定も行なわなければならなくなる。
【０００８】
このような問題点を解決するための構成として、たとえば、特許文献１には、以下のような技術が開示されている。すなわち、新たなセルは、既存のセルによって用いられている様々な異なるチャネルの信号強度を測定する。新たなセルは、大きな信号強度を持つチャネルに対応する候補チャネルのリストを作成し、このリストをセルラシステムの移動体交換センタに送信する。移動体交換センタは、どの候補チャネルが既存のセル内で用いられているビーコンに対応するかを決定し、新たなセルに、これら既存の各セルに関する構成情報を送信する。こうして、新たなセルは、隣接セルに関する構成情報を自動的に受信する。移動体交換センタが、識別されたネーバー（隣接セル）が最大値Ｎに達してないことを決定した場合は、移動体交換センタは、新たなセルに対して、追加の候補チャネル（つまり、より低い信号強度を持つ候補チャネル）を送信することを要請する。
【先行技術文献】
【特許文献】
【０００９】
【特許文献１】特開平１１―３３１９３１号公報
【発明の概要】
【発明が解決しようとする課題】
【００１０】
フェムト基地局の購入者は、当該フェムト基地局の設置場所を独自に決めることができる。このため、フェムト基地局が設置された無線通信システムでは、フェムト基地局の移動および電源のオン／オフが起こりやすいことから、周辺にフェムト基地局が存在する無線基地局装置において適切な隣接セル情報を生成することが困難となる。
【００１１】
たとえば、無線端末装置は、この隣接セル情報を用いて、自律的に、またはフェムト基地局からの指示に従い、隣接セル情報に登録されたフェムト基地局からの受信電力を測定し、この測定結果をフェムト基地局に報告する。この場合、ハンドオーバ先としては向かないフェムト基地局が隣接セル情報に登録されていると、無線端末装置が無駄な測定動作を行ない、また、無駄なハンドオーバが発生してしまう。
【００１２】
この発明は、上述の課題を解決するためになされたもので、その目的は、適切な隣接セル情報を生成することにより、無線通信システムにおける動作の効率化を図ることが可能な隣接セル処理装置および隣接セル処理方法を提供することである。
【課題を解決するための手段】
【００１３】
（１）上記課題を解決するために、この発明のある局面に係わる隣接セル処理装置は、無線端末装置が移動動作を行なうことにより複数の無線基地局装置と通信可能な通信システムにおける隣接セル処理装置であって、少なくとも対象の上記無線基地局装置以外の複数の上記無線基地局装置の属性を示す属性情報を取得するための属性情報取得部と、上記属性情報取得部によって取得された上記属性情報に基づいて、対象の上記無線基地局装置以外の複数の上記無線基地局装置のうち、上記対象無線基地局装置の周辺に配置された１または複数の上記無線基地局装置を示す隣接セル情報を生成するための隣接セル情報生成部と、上記隣接セル情報生成部によって生成された上記隣接セル情報を上記対象無線基地局装置または上記対象無線基地局装置と通信可能な無線端末装置へ送信するための隣接セル情報送信部とを備える。
【００１４】
このような構成により、無線基地局装置の移動および電源のオン／オフに関わらず、隣接セル情報を自動的に最適化することができるため、人手を介すことなく、無線通信システムにおける動作の効率化を図ることができる。また、自動的に隣接セル情報の最適化が行われることから、無線基地局装置に対する特別な設置処理が不要となるため、無線基地局装置を設置するための作業時間および費用の低減を図ることができる。
【００１５】
したがって、適切な隣接セル情報を生成することにより、無線通信システムにおける動作の効率化を図ることができる。
【００１６】
（２）好ましくは、上記隣接セル情報生成部は、上記属性情報取得部によって取得された上記属性情報に基づいて、対象の上記無線基地局装置以外の複数の上記無線基地局装置を順位付けし、順位付けの結果に基づいた隣接セル情報を生成する。
【００１７】
このような構成により、詳細な隣接セル情報を生成し、無線通信システムにおける動作のさらなる効率化を図ることができる。たとえば、無線基地局装置は、順位付け結果において上位の無線基地局装置を優先的に移動先として選択することにより、移動動作の成功率を高めることができる。
【００１８】
（３）より好ましくは、上記隣接セル情報生成部は、順位付けした複数の上記無線基地局装置のうち、上位からＮ個（Ｎは１以上の整数）の上記無線基地局装置を示す隣接セル情報を生成する。
【００１９】
このような構成により、たとえば無線端末装置に通知する隣接セル情報に含めることができる無線基地局装置の数に制限がある場合において、上位Ｎ個の無線基地局装置を隣接セル情報に含めることで、適切な隣接セル情報を無線端末装置に通知することが可能となる。
【００２０】
（４）より好ましくは、上記隣接セル情報生成部は、順位付けした上記無線基地局装置の順位をさらに示す隣接セル情報を生成する。
【００２１】
このような構成により、さらに詳細な隣接セル情報を生成し、無線通信システムにおける動作のさらなる効率化を図ることができる。たとえば、無線端末装置は、隣接セル情報における無線基地局装置の順位に従い、測定順序の決定、および測定対象の無線基地局装置の絞り込み等を行ない、効率的な測定動作を行なうことができる。
【００２２】
（５）好ましくは、上記隣接セル情報生成部は、上記属性情報の示す属性が所定の属性と一致するか否かに基づいて、上記対象無線基地局装置以外の複数の上記無線基地局装置を上記隣接セル情報に登録するか否かをそれぞれ決定する。
【００２３】
このような構成により、無線基地局装置の属性に応じて無線基地局装置を隣接セル情報において適切に登録または削除することができる。
【００２４】
（６）好ましくは、上記属性情報取得部は、上記対象無線基地局装置の属性をさらに示す属性情報を取得し、上記隣接セル情報生成部は、上記属性情報取得部によって取得された上記属性情報の示す上記対象無線基地局装置の属性、および上記対象無線基地局装置以外の複数の上記無線基地局装置の属性に基づいて上記隣接セル情報を生成する。
【００２５】
このように、隣接セル情報にどの無線基地局装置を含めるか、および無線基地局装置の順位付けの判断基準として、対象基地局以外の複数の無線基地局装置の属性を示す情報に加えて、対象基地局の属性を示す情報を用いることにより、さらに適切な隣接セル情報を生成することができる。
【００２６】
（７）好ましくは、上記通信システムにおける上記複数の無線基地局装置のうちの少なくともいずれかはフェムト基地局である。
【００２７】
このように、無線基地局装置の移動および電源のオン／オフが頻繁に起こる無線通信システムにおいて適切な隣接セル情報を生成することにより、無線通信システムにおける動作の効率化を図るという効果をより顕著に得ることができる。
【００２８】
（８）好ましくは、上記属性情報取得部は、少なくとも上記対象無線基地局装置以外の複数の上記無線基地局装置がマクロ基地局であるかフェムト基地局であるかを示す属性情報を取得する。
【００２９】
このように、隣接セル情報にどの無線基地局装置を含めるか、および無線基地局装置の順位付けの判断基準としてマクロ基地局／フェムト基地局の別を示す情報を用いることにより、適切な隣接セル情報を生成することができる。
【００３０】
（９）より好ましくは、上記隣接セル情報生成部は、上記属性情報取得部によって取得された上記属性情報に基づいて、上記対象無線基地局装置以外の複数の上記無線基地局装置を順位付けし、上記順位付けにおいて、マクロ基地局である上記無線基地局装置の順位を、フェムト基地局である上記無線基地局装置よりも上げる。
【００３１】
このように、マクロ基地局およびフェムト基地局が混在する無線通信システムにおいて、電源がオフされにくいマクロ基地局の優先順位を上げることにより、マクロ基地局／フェムト基地局の別による順位付けを適切に行なうことができる。
【００３２】
（１０）より好ましくは、上記隣接セル情報生成部は、上記属性情報取得部によって取得された上記属性情報に基づいて、上記対象無線基地局装置以外の複数の上記無線基地局装置を順位付けし、上記順位付けにおいて、フェムト基地局である上記無線基地局装置の順位を、マクロ基地局である上記無線基地局装置よりも上げる。
【００３３】
このような構成により、マクロ基地局およびフェムト基地局が混在する通信システムにおいて、フェムト基地局を隣接セル情報に優先して登録すべき状況において、マクロ基地局／フェムト基地局の別による順位付けを適切に行なうことができる。
【００３４】
（１１）より好ましくは、上記隣接セル情報生成部は、上記対象無線基地局装置以外の複数の上記無線基地局装置の中から、上記属性情報の示す属性がマクロ基地局である上記無線基地局装置またはフェムト基地局である上記無線基地局装置を少なくとも除いた上記隣接セル情報を生成する。
【００３５】
このような構成により、マクロ基地局／フェムト基地局の別に応じて無線基地局装置を隣接セル情報から適切に削除することができる。
【００３６】
（１２）より好ましくは、上記通信システムにおける上記複数の無線基地局装置のうちの少なくともいずれか２つは、すべての上記無線端末装置に対して通信を許可するオープンアクセスモードで動作するか、上記無線端末装置を登録することが可能であり、登録された上記無線端末装置に対して通信を許可するクローズドアクセスモードで動作するか、または上記無線端末装置を登録することが可能であり、登録された上記無線端末装置および登録されていない上記無線端末装置の両方に対して通信を許可するハイブリッドモードで動作するかを設定可能なフェムト基地局であり、上記属性情報取得部は、フェムト基地局である上記無線基地局装置が、上記オープンアクセスモード、上記クローズドアクセスモードおよび上記ハイブリッドモードのいずれで動作しているかをさらに示す属性情報を取得する。
【００３７】
このように、隣接セル情報にどの無線基地局装置を含めるか、および無線基地局装置の順位付けの判断基準としてマクロ基地局／フェムト基地局の別およびアクセスモードの別を示す情報を用いることにより、さらに適切な隣接セル情報を生成することができる。
【００３８】
（１３）より好ましくは、上記隣接セル情報生成部は、上記属性情報取得部によって取得された上記属性情報に基づいて、上記対象無線基地局装置以外の複数の上記無線基地局装置を順位付けし、上記順位付けにおいて、マクロ基地局である上記無線基地局装置、上記オープンアクセスモードで動作するフェムト基地局である上記無線基地局装置、上記ハイブリッドモードで動作するフェムト基地局である上記無線基地局装置および上記クローズドアクセスモードで動作するフェムト基地局である上記無線基地局装置の順位をこの順番で高くする。
【００３９】
このような構成により、マクロ基地局／フェムト基地局の別およびアクセスモードの別に応じて無線基地局装置の順位付けを適切に行なうことができる。
【００４０】
（１４）より好ましくは、上記隣接セル情報生成部は、上記対象無線基地局装置以外の複数の上記無線基地局装置の中から、マクロ基地局である上記無線基地局装置、上記オープンアクセスモードで動作するフェムト基地局である上記無線基地局装置、上記ハイブリッドモードで動作するフェムト基地局である上記無線基地局装置および上記クローズドアクセスモードで動作するフェムト基地局である上記無線基地局装置の４種類のうちの１種類、２種類または３種類を少なくとも除いた上記隣接セル情報を生成する。
【００４１】
このような構成により、マクロ基地局／フェムト基地局の別およびアクセスモードの別に応じて無線基地局装置を隣接セル情報から適切に削除することができる。
【００４２】
（１５）好ましくは、上記通信システムにおける上記複数の無線基地局装置のうちの少なくともいずれか２つは、すべての上記無線端末装置に対して通信を許可するオープンアクセスモードで動作するか、上記無線端末装置を登録することが可能であり、登録された上記無線端末装置に対して通信を許可するクローズドアクセスモードで動作するか、または上記無線端末装置を登録することが可能であり、登録された上記無線端末装置および登録されていない上記無線端末装置の両方に対して通信を許可するハイブリッドモードで動作するかを設定可能であり、上記属性情報取得部は、少なくとも上記対象無線基地局装置以外の複数の上記無線基地局装置が、上記オープンアクセスモード、上記クローズドアクセスモードおよび上記ハイブリッドモードのいずれで動作しているかを示す属性情報を取得する。
【００４３】
このように、隣接セル情報にどの無線基地局装置を含めるか、および無線基地局装置の順位付けの判断基準としてアクセスモードの別を示す情報を用いることにより、適切な隣接セル情報を生成することができる。
【００４４】
（１６）より好ましくは、上記隣接セル情報生成部は、上記属性情報取得部によって取得された上記属性情報に基づいて、上記対象無線基地局装置以外の複数の上記無線基地局装置を順位付けし、上記順位付けにおいて、上記オープンアクセスモードで動作する上記無線基地局装置、上記ハイブリッドモードで動作する上記無線基地局装置および上記クローズドアクセスモードで動作する上記無線基地局装置の順位をこの順番で高くする。
【００４５】
このような構成により、アクセスモードの別に応じて無線基地局装置の順位付けを適切に行なうことができる。
【００４６】
（１７）より好ましくは、上記隣接セル情報生成部は、上記対象無線基地局装置以外の複数の上記無線基地局装置の中から、上記オープンアクセスモードで動作する上記無線基地局装置、上記ハイブリッドモードで動作する上記無線基地局装置および上記クローズドアクセスモードで動作する上記無線基地局装置の３種類のうちの１種類または２種類を少なくとも除いた上記隣接セル情報を生成する。
【００４７】
このような構成により、アクセスモードの別に応じて無線基地局装置を隣接セル情報から適切に削除することができる。
【００４８】
（１８）より好ましくは、上記無線基地局装置は、上記クローズドアクセスモードまたは上記ハイブリッドモードで動作する場合において、設定された加入者グループに属しており、同じ上記加入者グループに属する上記無線端末装置に対して通信を許可し、上記属性情報取得部は、上記対象無線基地局装置、および上記対象無線基地局装置以外の複数の上記無線基地局装置が、上記オープンアクセスモード、上記クローズドアクセスモードおよび上記ハイブリッドモードのいずれで動作しているかをさらに示し、かつ上記対象無線基地局装置、および上記対象無線基地局装置以外の複数の上記無線基地局装置がそれぞれ属する上記加入者グループをさらに示す属性情報を取得する。
【００４９】
このように、隣接セル情報にどの無線基地局装置を含めるか、および無線基地局装置の順位付けの判断基準として対象基地局、および対象基地局以外の複数の無線基地局装置について、アクセスモードの別および加入者グループの異同を示す情報を用いることにより、さらに適切な隣接セル情報を生成することができる。
【００５０】
（１９）より好ましくは、上記隣接セル情報生成部は、上記属性情報取得部によって取得された上記属性情報に基づいて、上記対象無線基地局装置以外の複数の上記無線基地局装置を順位付けし、上記順位付けにおいて、上記対象無線基地局装置と同じ上記加入者グループに属する上記無線基地局装置の順位を、上記対象無線基地局装置と異なる上記加入者グループに属する上記無線基地局装置よりも上げる。
【００５１】
このような構成により、加入者グループの異同に応じて無線基地局装置の順位付けを適切に行なうことができる。
【００５２】
（２０）より好ましくは、上記隣接セル情報生成部は、上記属性情報取得部によって取得された上記属性情報に基づいて、上記対象無線基地局装置以外の複数の上記無線基地局装置を順位付けし、上記対象無線基地局装置が上記クローズドアクセスモードで動作している場合には、上記順位付けにおいて、上記クローズドアクセスモードで動作し、かつ上記対象無線基地局装置と同じ上記加入者グループに属する上記無線基地局装置、上記ハイブリッドモードで動作し、かつ上記対象無線基地局装置と同じ上記加入者グループに属する上記無線基地局装置、上記オープンアクセスモードで動作する上記無線基地局装置、上記ハイブリッドモードで動作し、かつ上記対象無線基地局装置と異なる上記加入者グループに属する上記無線基地局装置をこの順番で高くする。
【００５３】
このような構成により、アクセスモードの別および加入者グループの異同に応じて無線基地局装置の順位付けを適切に行なうことができる。
【００５４】
（２１）より好ましくは、上記属性情報取得部は、上記対象無線基地局装置以外の複数の上記無線基地局装置がマクロ基地局であるかフェムト基地局であるかをさらに示す属性情報を取得し、上記隣接セル情報生成部は、上記属性情報取得部によって取得された上記属性情報に基づいて、上記対象無線基地局装置以外の複数の上記無線基地局装置を順位付けし、上記対象無線基地局装置が上記クローズドアクセスモードで動作するフェムト基地局である場合には、上記順位付けにおいて、上記クローズドアクセスモードで動作し、かつ上記対象無線基地局装置と同じ上記加入者グループに属するフェムト基地局である上記無線基地局装置、上記ハイブリッドモードで動作し、かつ上記対象無線基地局装置と同じ上記加入者グループに属するフェムト基地局である上記無線基地局装置、マクロ基地局である上記対象無線基地局装置、上記オープンアクセスモードで動作するフェムト基地局である上記無線基地局装置、上記ハイブリッドモードで動作し、かつ上記対象無線基地局装置と異なる上記加入者グループに属するフェムト基地局である上記無線基地局装置をこの順番で高くする。
【００５５】
このような構成により、マクロ基地局／フェムト基地局の別、アクセスモードの別および加入者グループの異同に応じて無線基地局装置の順位付けを適切に行なうことができる。
【００５６】
（２２）より好ましくは、上記隣接セル情報生成部は、上記対象無線基地局装置が上記クローズドアクセスモードで動作している場合には、上記対象無線基地局装置以外の複数の上記無線基地局装置の中から、上記クローズドアクセスモードで動作し、かつ上記対象無線基地局装置と同じ上記加入者グループに属する上記無線基地局装置、上記ハイブリッドモードで動作し、かつ上記対象無線基地局装置と同じ上記加入者グループに属する上記無線基地局装置、上記オープンアクセスモードで動作する上記無線基地局装置、および上記ハイブリッドモードで動作し、かつ上記対象無線基地局装置と異なる上記加入者グループに属する上記無線基地局装置の４種類のうちの１種類、２種類または３種類を少なくとも除いた上記隣接セル情報を生成する。
【００５７】
このような構成により、アクセスモードの別および加入者グループの異同に応じて無線基地局装置を隣接セル情報から適切に削除することができる。
【００５８】
（２３）より好ましくは、上記属性情報取得部は、上記対象無線基地局装置以外の複数の上記無線基地局装置がマクロ基地局であるかフェムト基地局であるかをさらに示す属性情報を取得し、上記隣接セル情報生成部は、上記対象無線基地局装置が上記クローズドアクセスモードで動作するフェムト基地局である場合には、上記対象無線基地局装置以外の複数の上記無線基地局装置の中から、上記クローズドアクセスモードで動作し、かつ上記対象無線基地局装置と同じ上記加入者グループに属するフェムト基地局である上記無線基地局装置、上記ハイブリッドモードで動作し、かつ上記対象無線基地局装置と同じ上記加入者グループに属するフェムト基地局である上記無線基地局装置、マクロ基地局である上記対象無線基地局装置、上記オープンアクセスモードで動作するフェムト基地局である上記無線基地局装置、および上記ハイブリッドモードで動作し、かつ上記対象無線基地局装置と異なる上記加入者グループに属するフェムト基地局である上記無線基地局装置の５種類のうちの１種類、２種類、３種類または４種類を少なくとも除いた上記隣接セル情報を生成する。
【００５９】
このような構成により、マクロ基地局／フェムト基地局の別、アクセスモードの別および加入者グループの異同に応じて無線基地局装置を隣接セル情報から適切に削除することができる。
【００６０】
（２４）好ましくは、上記属性情報取得部は、少なくとも上記対象無線基地局装置以外の複数の上記無線基地局装置が送信する無線信号の周波数を示す属性情報を取得する。
【００６１】
このように、隣接セル情報にどの無線基地局装置を含めるか、および無線基地局装置の順位付けの判断基準として無線基地局装置の搬送周波数を示す情報を用いることにより、適切な隣接セル情報を生成することができる。
【００６２】
（２５）より好ましくは、上記属性情報取得部は、上記対象無線基地局装置、および上記対象無線基地局装置以外の複数の上記無線基地局装置が送信する無線信号の周波数を示す属性情報を取得し、上記隣接セル情報生成部は、上記属性情報取得部によって取得された上記属性情報に基づいて、上記対象無線基地局装置以外の複数の上記無線基地局装置を順位付けし、上記順位付けにおいて、上記属性情報の示す上記周波数が、上記対象無線基地局装置から送信される無線信号の周波数と同じ上記無線基地局装置の順位を、周波数の異なる上記無線基地局装置よりも上げる。
【００６３】
このような構成により、無線基地局装置の搬送周波数の別に応じて無線基地局装置の順位付けを適切に行なうことができる。具体的には、自己と同じ搬送周波数を使用する無線基地局装置へ移動するように無線端末装置を誘導することができるため、無線端末装置における測定を容易にすることができる。
【００６４】
（２６）より好ましくは、上記属性情報取得部は、上記対象無線基地局装置、および上記対象無線基地局装置以外の複数の上記無線基地局装置が送信する無線信号の周波数を示す属性情報を取得し、上記隣接セル情報生成部は、上記属性情報取得部によって取得された上記属性情報に基づいて、上記対象無線基地局装置以外の複数の上記無線基地局装置を順位付けし、上記順位付けにおいて、上記属性情報の示す上記周波数が、上記対象無線基地局装置から送信される無線信号の周波数と異なる上記無線基地局装置の順位を、周波数の同じ上記無線基地局装置よりも上げる。
【００６５】
このような構成により、無線基地局装置の搬送周波数の別に応じて無線基地局装置の順位付けを適切に行なうことができる。具体的には、自己と異なる搬送周波数を使用する無線基地局装置へ移動するように無線端末装置を誘導することができるため、自己の無線基地局装置への干渉を減らすことができる。
【００６６】
（２７）より好ましくは、上記隣接セル情報生成部は、上記順位付けにおいて、上記属性情報の示す上記周波数が、上記対象無線基地局装置から送信される無線信号の周波数に対して遠い上記無線基地局装置の順位を、上記対象無線基地局装置から送信される無線信号の周波数に対して近い上記無線基地局装置よりも上げる。
【００６７】
このような構成により、自己の搬送周波数からより離れた搬送周波数を使用する無線基地局装置へ移動するように無線端末装置を誘導することができるため、自己の無線基地局装置への干渉をさらに減らすことができる。
【００６８】
（２８）より好ましくは、上記属性情報取得部は、上記対象無線基地局装置、および上記対象無線基地局装置以外の複数の上記無線基地局装置が送信する無線信号の周波数を示す属性情報を取得し、上記隣接セル情報生成部は、上記対象無線基地局装置以外の複数の上記無線基地局装置の中から、上記属性情報の示す上記周波数が、上記対象無線基地局装置から送信される無線信号の周波数と同じ上記無線基地局装置、または上記対象無線基地局装置から送信される無線信号の周波数と異なる上記無線基地局装置を少なくとも除いた上記隣接セル情報を生成する。
【００６９】
このような構成により、無線基地局装置の搬送周波数の別に応じて無線基地局装置を隣接セル情報から適切に削除することができる。具体的には、自己と異なる搬送周波数を使用する無線基地局装置へ移動するように無線端末装置を誘導することができるため、自己の無線基地局装置への干渉を減らすことができる。あるいは、自己と同じ搬送周波数を使用する無線基地局装置へ移動するように無線端末装置を誘導することができるため、無線端末装置における測定を容易にすることができる。
【００７０】
（２９）好ましくは、上記属性情報取得部は、少なくとも上記対象無線基地局装置以外の複数の上記無線基地局装置の無線アクセス方式を示す属性情報を取得する。
【００７１】
このように、隣接セル情報にどの無線基地局装置を含めるか、および無線基地局装置の順位付けの判断基準として無線基地局装置の無線アクセス方式を示す情報を用いることにより、適切な隣接セル情報を生成することができる。
【００７２】
（３０）より好ましくは、上記属性情報取得部は、上記対象無線基地局装置、および上記対象無線基地局装置以外の複数の上記無線基地局装置の無線アクセス方式を示す属性情報を取得し、上記隣接セル情報生成部は、上記属性情報取得部によって取得された上記属性情報に基づいて、上記対象無線基地局装置以外の複数の上記無線基地局装置を順位付けし、上記順位付けにおいて、上記属性情報の示す上記無線アクセス方式が、上記対象無線基地局装置の無線アクセス方式と同じ上記無線基地局装置の順位を、無線アクセス方式の異なる上記無線基地局装置よりも上げる。
【００７３】
このような構成により、無線基地局装置の搬送周波数の別に応じて無線基地局装置の順位付けを適切に行なうことができる。具体的には、自己と同じ無線アクセス方式を採用する無線基地局装置へ移動するように無線端末装置を誘導することができるため、無線通信システムにおける動作の安定化を図ることができる。
【００７４】
（３１）より好ましくは、上記属性情報取得部は、上記対象無線基地局装置、および上記対象無線基地局装置以外の複数の上記無線基地局装置の無線アクセス方式を示す属性情報を取得し、上記隣接セル情報生成部は、上記属性情報取得部によって取得された上記属性情報に基づいて、上記対象無線基地局装置以外の複数の上記無線基地局装置を順位付けし、上記順位付けにおいて、上記属性情報の示す上記無線アクセス方式が、上記対象無線基地局装置の無線アクセス方式と異なる上記無線基地局装置の順位を、無線アクセス方式の同じ上記無線基地局装置よりも上げる。
【００７５】
このような構成により、対象基地局と無線アクセス方式の異なる無線基地局装置を隣接セル情報に優先して登録すべき状況において、無線基地局装置の無線アクセス方式の別に応じて無線基地局装置の順位付けを適切に行なうことができる。
【００７６】
（３２）より好ましくは、上記属性情報取得部は、上記対象無線基地局装置、および上記対象無線基地局装置以外の複数の上記無線基地局装置の無線アクセス方式を示す属性情報を取得し、上記隣接セル情報生成部は、上記対象無線基地局装置以外の複数の上記無線基地局装置の中から、上記属性情報の示す上記無線アクセス方式が、上記対象無線基地局装置の無線アクセス方式と異なる上記無線基地局装置、または上記対象無線基地局装置の無線アクセス方式と同じ上記無線基地局装置を少なくとも除いた上記隣接セル情報を生成する。
【００７７】
このような構成により、無線基地局装置の無線アクセス方式の別に応じて無線基地局装置を隣接セル情報から適切に削除することができる。
【００７８】
（３３）好ましくは、上記隣接セル情報生成部は、対象の上記無線基地局装置以外の複数の上記無線基地局装置のうち、上記対象無線基地局装置と通信する無線端末装置の移動先候補となる１または複数の上記無線基地局装置を示す隣接セル情報を生成する。
【００７９】
このような構成により、設置された無線基地局装置のセル内における移動動作を最適な状態にすることが可能となる。また、隣接セル情報の最適化を行なうことにより、通信中の無線端末装置の移動先候補となる隣接セルの数を低減することができるため、無駄な移動動作が発生することを防ぐことができる。
【００８０】
（３４）好ましくは、上記隣接セル情報生成部は、対象の上記無線基地局装置以外の複数の上記無線基地局装置のうち、上記無線端末装置の測定対象となる１または複数の上記無線基地局装置を示す隣接セル情報を生成する。
【００８１】
このように、隣接セル情報の最適化を行なうことにより、無線端末装置が測定を行なう対象となる隣接セルの数を低減することができるため、無線端末装置が無駄な測定動作を行なうことを防ぐことができる。
【００８２】
（３５）好ましくは、上記隣接セル情報生成部は、対象の上記無線基地局装置以外の複数の上記無線基地局装置のうち、上記無線端末装置が受信レベルを測定する対象となる無線信号を送信する１または複数の上記無線基地局装置を示す隣接セル情報を生成する。
【００８３】
このように、隣接セル情報の最適化を行なうことにより、無線端末装置が受信レベル測定を行なう対象となる隣接セルの数を低減することができるため、無線端末装置が無駄な測定動作を行なうことを防ぐことができる。特に、アイドル状態の無線端末装置の消費電力を低減することができるため、顕著な効果が得られる。
【００８４】
（３６）より好ましくは、上記隣接セル情報生成部は、対象の上記無線基地局装置以外の複数の上記無線基地局装置のうち、上記対象無線基地局装置と通信中でない上記無線端末装置が受信レベルを測定する対象となる無線信号を送信する１または複数の上記無線基地局装置を示す隣接セル情報を生成する。
【００８５】
このような構成により、無線基地局装置からの報知情報等によって指示される定期的な電力測定の対象となる隣接セルの数を低減することができるため、無線端末装置が無駄な測定動作を行なうことを防ぐことができる。
【００８６】
（３７）好ましくは、上記隣接セル情報生成部は、上記属性情報取得部によって取得された上記属性情報に基づいて、対象の上記無線基地局装置以外の複数の上記無線基地局装置を順位付けし、順位付けの結果に基づいた隣接セル情報を生成し、上記隣接セル情報生成部は、上記対象無線基地局装置と通信する無線端末装置が、対象の上記無線基地局装置以外の上記無線基地局装置から送信される無線信号の受信レベルを複数の周波数において測定した結果に基づいて、上記隣接セル情報の初期情報を生成する。
【００８７】
このような構成により、適切な隣接セル情報を早期に構築することが可能となり、無線通信システムにおける動作の効率化を早期に実現することができる。
【００８８】
（３８）より好ましくは、上記隣接セル処理装置は、さらに、上記対象無線基地局装置が、上記無線端末装置を登録することが可能であり、登録された上記無線端末装置および登録されていない上記無線端末装置の両方に対して通信を許可するハイブリッドモードで動作する場合には、登録されていない上記無線端末装置に対して、対象の上記無線基地局装置以外の上記無線基地局装置から送信される無線信号の受信レベルを上記複数の周波数において測定することを指示するための電力測定指示部を備える。
【００８９】
このような構成により、登録ユーザの所有する無線端末装置の電力が消費されることを防ぐことができるため、適切な通信サービスを提供することができる。
【００９０】
（３９）より好ましくは、上記隣接セル処理装置は、さらに、上記対象無線基地局装置が、上記無線端末装置を登録することが可能であり、登録された上記無線端末装置および登録されていない上記無線端末装置の両方に対して通信を許可するハイブリッドモードで動作する場合には、登録された上記無線端末装置に対して、対象の上記無線基地局装置以外の上記無線基地局装置から送信される無線信号の受信レベルを上記複数の周波数において測定することを指示するための電力測定指示部を備える。
【００９１】
このような構成により、無線端末装置を即時に充電できる環境を有していない場合が多い非登録ユーザの所有する無線端末装置の電力が消費されることを防ぐことができるため、適切な通信サービスを提供することができる。
【００９２】
（４０）好ましくは、上記隣接セル処理装置は、１または複数の上記無線基地局装置に含まれる。
【００９３】
このような構成により、たとえばゲートウェイ装置または上位装置で各無線基地局装置の隣接セル情報の最適化を行なう必要がなくなり、無線通信システムにおける処理負荷の分散、ならびに無線基地局装置とゲートウェイ装置または上位装置との間における通信量の低減を図ることができる。
【００９４】
（４１）上記課題を解決するために、この発明のある局面に係わる隣接セル処理方法は、無線端末装置が移動動作を行なうことにより複数の無線基地局装置と通信可能な通信システムにおける隣接セル処理方法であって、少なくとも対象の上記無線基地局装置以外の複数の上記無線基地局装置の属性を示す属性情報を取得するステップと、取得された上記属性情報に基づいて、対象の上記無線基地局装置以外の複数の上記無線基地局装置のうち、上記対象無線基地局装置の周辺に配置された１または複数の上記無線基地局装置を示す隣接セル情報を生成するステップと、生成された上記隣接セル情報を上記対象無線基地局装置または上記対象無線基地局装置と通信可能な無線端末装置へ送信するステップとを含む。
【００９５】
このような構成により、無線基地局装置の移動および電源のオン／オフに関わらず、隣接セル情報を自動的に最適化することができるため、人手を介すことなく、無線通信システムにおける動作の効率化を図ることができる。また、自動的に隣接セル情報の最適化が行われることから、無線基地局装置に対する特別な設置処理が不要となるため、無線基地局装置を設置するための作業時間および費用の低減を図ることができる。
【００９６】
したがって、適切な隣接セル情報を生成することにより、無線通信システムにおける動作の効率化を図ることができる。
【発明の効果】
【００９７】
本発明によれば、適切な隣接セル情報を生成することにより、無線通信システムにおける動作の効率化を図ることができる。
【図面の簡単な説明】
【００９８】
【図１】本発明の第１の実施の形態に係るフェムト基地局のアクセスモードと接続可能な無線端末装置との関係を示す図である。
【図２】本発明の第１の実施の形態に係る無線通信システムにおける無線基地局装置の配置例を示す図である。
【図３】本発明の第１の実施の形態に係る無線通信システムにおける無線基地局装置の配置例を詳細に示す図である。
【図４】図２に示す無線通信システムにおける、各無線基地局装置の属性を示す図である。
【図５】本発明の第１の実施の形態に係る無線基地局装置の構成を示す図である。
【図６】本発明の第１の実施の形態に係る信号処理部の構成を示す図である。
【図７】本発明の第１の実施の形態に係る無線通信システムにおいて、無線基地局装置が初期の隣接セル情報を生成するシーケンスの一例を示す図である。
【図８】本発明の第１の実施の形態に係る無線通信システムにおけるハンドオーバ動作のシーケンスの一例を示す図である。
【図９】無線基地局装置が取得した属性情報の一例を示す図である。
【図１０】無線基地局装置の生成する隣接セル情報の一例を示す図である。
【図１１】無線基地局装置の生成する隣接セル情報の他の例を示す図である。
【図１２】無線基地局装置の生成する隣接セル情報の他の例を示す図である。
【図１３】本発明の第１の実施の形態に係る無線通信システムにおいて、無線基地局装置が隣接セル情報を無線端末装置へ通知する方法の一例を示す図である。
【図１４】本発明の第１の実施の形態に係る無線通信システムにおいて、無線基地局装置が隣接セル情報を無線端末装置へ通知する方法の一例を示す図である。
【図１５】本発明の第１の実施の形態に係る無線通信システムにおいて、無線基地局装置が隣接セル情報を無線端末装置へ通知する方法の一例を示す図である。
【図１６】無線基地局装置が取得した属性情報の一例を示す図である。
【図１７】無線基地局装置の生成する隣接セル情報の一例を示す図である。
【図１８】無線基地局装置の生成する隣接セル情報の他の例を示す図である。
【図１９】無線基地局装置の生成する隣接セル情報の他の例を示す図である。
【図２０】無線基地局装置が取得した属性情報の一例を示す図である。
【図２１】無線基地局装置の生成する隣接セル情報の一例を示す図である。
【図２２】無線基地局装置の生成する隣接セル情報の他の例を示す図である。
【図２３】無線基地局装置の生成する隣接セル情報の他の例を示す図である。
【図２４】無線基地局装置が取得した属性情報の一例を示す図である。
【図２５】無線基地局装置の生成する隣接セル情報の一例を示す図である。
【図２６】無線基地局装置の生成する隣接セル情報の他の例を示す図である。
【図２７】無線基地局装置の生成する隣接セル情報の他の例を示す図である。
【図２８】無線基地局装置の生成する隣接セル情報の一例を示す図である。
【図２９】無線基地局装置の生成する隣接セル情報の他の例を示す図である。
【図３０】無線基地局装置の生成する隣接セル情報の他の例を示す図である。
【図３１】無線基地局装置が取得した属性情報の一例を示す図である。
【図３２】無線基地局装置の生成する隣接セル情報の一例を示す図である。
【図３３】無線基地局装置の生成する隣接セル情報の他の例を示す図である。
【図３４】無線基地局装置の生成する隣接セル情報の他の例を示す図である。
【図３５】本発明の第５の実施の形態に係る無線通信システムの構成を示す図である。
【図３６】本発明の第５の実施の形態に係るゲートウェイ装置の構成を示す図である。
【図３７】本発明の第５の実施の形態に係るゲートウェイ装置におけるデータ処理部の構成を示す図である。
【図３８】本発明の第５の実施の形態に係るゲートウェイ装置が隣接セル情報を通知する方法を示す図である。
【発明を実施するための形態】
【００９９】
以下、本発明の実施の形態について図面を用いて説明する。なお、図中同一または相当部分には同一符号を付してその説明は繰り返さない。
【０１００】
＜第１の実施の形態＞
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【０１０１】
たとえば、無線端末装置が無線基地局装置と通信しているときには、無線端末装置の移動先は無線基地局装置またはコアネットワークにおける上位装置が決定する。また、無線端末装置が無線基地局装置と通信していないときには、無線端末装置の移動先は無線端末装置が決定する。
【０１０２】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【０１０３】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【０１０４】
本発明の第１の実施の形態に係る無線通信システムにおいても、このような３ＧＰＰの定義を適用してもよい。
【０１０５】
また、上記定義と合わせて、あるいは別個に、以下のような定義を適用することも可能である。
【０１０６】
マクロ基地局は、事業者の管理下にあり、事業者と契約している無線基地局装置が通信可能な無線基地局装置である。また、マクロ基地局は、基本的に電源がオフになることはないと考えられる。
【０１０７】
また、フェムト基地局は、主に個人または法人の建物内に設置され、ユーザの事情により移動するまたは電源がオフとなる可能性がある無線基地局装置である。
【０１０８】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局と同じ動作をする。
【０１０９】
図１は、本発明の第１の実施の形態に係るフェムト基地局のアクセスモードと接続可能な無線端末装置との関係を示す図である。
【０１１０】
図１を参照して、本発明の第１の実施の形態に係るフェムト基地局は、３つのアクセスモードを有する。すなわち、クローズドアクセスモードでは、フェムト基地局と接続可能な無線端末装置は登録済みの無線端末装置のみである。また、オープンアクセスモードでは、フェムト基地局と接続可能な無線端末装置はすべての無線端末装置であり、通常のマクロ基地局と同様である。また、ハイブリッドモードでは、フェムト基地局と接続可能な無線端末装置はすべての無線端末装置である。ただし、ハイブリッドモードでは、メンバーすなわち登録されている無線端末装置は、ノンメンバーすなわち登録されていない無線端末装置と比べて、フェムト基地局の通信リソースの割り当ておよび課金等で優遇される場合がある。
【０１１１】
すなわち、本発明の第１の実施の形態に係るフェムト基地局は、すべての無線端末装置に対して通信を許可するオープンアクセスモードで動作するか、無線端末装置を登録することが可能であり、登録された無線端末装置に対して通信を許可するクローズドアクセスモードで動作するか、または無線端末装置を登録することが可能であり、登録された無線端末装置および登録されていない無線端末装置の両方に対して通信を許可するハイブリッドモードで動作するかを設定可能である。
【０１１２】
クローズドアクセスモードのセルにおいては、無線端末装置が自立的に周辺セルを検出することが３ＧＰＰで規定されている。また、オープンアクセスモードのマクロセルにおいては、事業者が計画的に無線基地局装置を設置する場合には、周辺のマクロセルに関する情報も事業者が把握しており、無線基地局装置の設置時および保守時等に設定される。
【０１１３】
ところで、ユーザは、フェムト基地局を任意の場所に設置できることから、フェムト基地局が現在地を把握することは困難である。このため、フェムト基地局において、周辺セルの情報を得ることも困難である。
【０１１４】
前述のように、クローズドアクセスモードのセルにおける無線端末装置のフェムトセル検出方法および移動方法は３ＧＰＰで規定されている。しかしながら、マクロセルまたはフェムトセルから、マクロセルまたはオープンアクセスモードのフェムトセルへ無線端末装置が移動する場合には、移動元の無線基地局装置が移動先の無線基地局装置の情報を無線端末装置に通知する必要がある。
【０１１５】
ここで、フェムト基地局はユーザによって独自に使用場所が決められるため、フェムト基地局の移動および電源のオン／オフが起こり得る。これにより、次の２つが課題となる。すなわち、フェムト基地局が現在地を把握できないので、周辺に配置されたセルの情報をＯＡＭ機能（保守機能）によって取得することが困難である。また、無線基地局装置の周辺にフェムト基地局が存在する場合であってフェムト基地局の電源がオフされているときには、無線端末装置は当該フェムト基地局へ移動することができないので、フェムト基地局の電源のオン／オフを検出する必要が生じてしまう。
【０１１６】
なお、フェムト基地局がＧＰＳ（Global Positioning System）等を利用して現在地を特定できる場合には、フェムト基地局が事業者網に問い合わせを行ない、地理的に近いセルの情報を取得することも考えられるが、精度の問題から、正確な位置を特定することは困難である。
【０１１７】
［構成および基本動作］
図２は、本発明の第１の実施の形態に係る無線通信システムにおける無線基地局装置の配置例を示す図である。
【０１１８】
図２を参照して、無線通信システム３０１は、たとえば３ＧＰＰで規格化されたＬＴＥ（Long Term Evolution）に従う移動体通信システムであり、無線基地局装置１０１Ａ，１０１Ｂ，１０１Ｃ，１０１Ｄ，１０１Ｅ，１０１Ｆ，１０１Ｇを備える。
【０１１９】
無線通信システム３０１では、無線基地局装置１０１Ａ，１０１Ｃ，１０１Ｄ，１０１Ｅ，１０１Ｆがフェムト基地局であり、無線基地局装置１０１Ｂおよび１０１Ｇがマクロ基地局である。
【０１２０】
無線基地局装置１０１Ｂおよび１０１Ｇは、たとえば半径数キロメートルのマクロセルＭＣＢおよびＭＣＧをそれぞれ形成する。また、無線基地局装置１０１Ａ，１０１Ｃ，１０１Ｄ，１０１Ｅ，１０１Ｆは、たとえば半径数１０メートルのフェムトセルＦＣＡ，ＦＣＣ，ＦＣＤ，ＦＣＥ，ＦＣＦをそれぞれ形成する。
【０１２１】
ここでは、マクロ基地局１０１Ｂおよびマクロ基地局１０１Ｇが形成するマクロセル内に、複数のフェムト基地局が存在する状態を考える。
【０１２２】
無線基地局装置１０１Ｂは、マクロセルＭＣＢ内に存在する無線端末装置２０２と無線信号を送受信することにより、当該無線端末装置２０２と通信することが可能である。無線基地局装置１０１Ｇは、マクロセルＭＣＧ内に存在する無線端末装置２０２と無線信号を送受信することにより、当該無線端末装置２０２と通信することが可能である。
【０１２３】
無線基地局装置１０１Ａ，１０１Ｃ，１０１Ｄ，１０１Ｅ，１０１Ｆは、宅内および地下街等、無線基地局装置１０１Ｂまたは１０１Ｇからの無線信号を無線端末装置２０２が受信しにくい場所に設置され、それぞれフェムトセルＦＣＡ，ＦＣＣ，ＦＣＤ，ＦＣＥ，ＦＣＦ内に存在する無線端末装置２０２と無線信号を送受信することにより、当該無線端末装置２０２と通信することが可能である。
【０１２４】
図２では、無線基地局装置１０１Ｂおよび１０１Ｇがそれぞれ形成するマクロセルＭＣＢおよびＭＣＧの各々の一部が重なり合っている。また、無線基地局装置１０１Ａ，１０１Ｃ，１０１Ｄ，１０１Ｅ，１０１Ｆは、無線基地局装置１０１Ｂおよび１０１Ｇがそれぞれ形成するマクロセルＭＣＢおよびＭＣＧの重複部分に配置されている。ここでは、無線基地局装置１０１Ａと通信している無線端末装置２０２が存在するものとする。
【０１２５】
図３は、本発明の第１の実施の形態に係る無線通信システムにおける無線基地局装置の配置例を詳細に示す図である。
【０１２６】
図３を参照して、フェムトセルＦＣＡ，ＦＣＣ，ＦＣＤ，ＦＣＥ，ＦＣＦの各々の一部が重なり合っている。無線基地局装置１０１Ａと通信している無線端末装置２０２は、フェムトセルＦＣＡ，ＦＣＣ，ＦＣＤ，ＦＣＥ，ＦＣＦ内に位置しており、無線基地局装置１０１Ａ，１０１Ｂ，１０１Ｃ，１０１Ｄ，１０１Ｅ，１０１Ｆ，１０１Ｇからのすべての無線信号を受信可能である。
【０１２７】
本発明の第１の実施の形態に係る無線通信システムでは、無線基地局装置１０１Ａ，１０１Ｂ，１０１Ｃ，１０１Ｄ，１０１Ｅ，１０１Ｆ，１０１Ｇが、それぞれ隣接セル処理装置として動作する。すなわち、無線基地局装置１０１Ａ，１０１Ｂ，１０１Ｃ，１０１Ｄ，１０１Ｅ，１０１Ｆ，１０１Ｇの各々は、単体で隣接セル情報の最適化を行なう。
【０１２８】
以下、無線基地局装置１０１Ａ，１０１Ｂ，１０１Ｃ，１０１Ｄ，１０１Ｅ，１０１Ｆ，１０１Ｇの各々を無線基地局装置１０１と称する場合がある。また、図２では、２つのマクロ基地局と、５つのフェムト基地局とを代表的に示しているが、少数またはさらに多数のマクロ基地局およびフェムト基地局が設けられてもよい。
【０１２９】
図４は、図２に示す無線通信システムにおける、各無線基地局装置の属性を示す図である。
【０１３０】
図４を参照して、無線通信システム３０１において、無線基地局装置１０１ＡのセルＩＤが１１１１であり、セル形態がフェムトであり、アクセスモードがクローズドアクセスモードであり、ＣＳＧ（Closed Subscriber Group）  ＩＤが８８８８であり、無線基地局装置１０１Ａから送信される無線信号の搬送周波数がｆ１であり、無線アクセス方式（ＲＡＴ：Radio Access Technology）がＬＴＥである。無線基地局装置１０１ＢのセルＩＤが２２２２であり、セル形態がマクロであり、無線基地局装置１０１Ｂから送信される無線信号の搬送周波数がｆ１であり、無線アクセス方式がＬＴＥである。無線基地局装置１０１ＣのセルＩＤが３３３３であり、セル形態がフェムトであり、アクセスモードがハイブリッドモードであり、ＣＳＧ  ＩＤが８８８８であり、無線基地局装置１０１Ｃから送信される無線信号の搬送周波数がｆ１であり、無線アクセス方式がＬＴＥである。無線基地局装置１０１ＤのセルＩＤが４４４４であり、セル形態がフェムトであり、アクセスモードがクローズドアクセスモードであり、ＣＳＧ  ＩＤが８８８８であり、無線基地局装置１０１Ｄから送信される無線信号の搬送周波数がｆ３であり、無線アクセス方式がＬＴＥである。無線基地局装置１０１ＥのセルＩＤが５５５５であり、セル形態がフェムトであり、アクセスモードがオープンアクセスモードであり、無線基地局装置１０１Ｅから送信される無線信号の搬送周波数がｆ２であり、無線アクセス方式がＷ−ＣＤＭＡ（Wideband Code Division Multiple Access）である。無線基地局装置１０１ＦのセルＩＤが６６６６であり、セル形態がフェムトであり、アクセスモードがハイブリッドモードであり、ＣＳＧ  ＩＤが９９９９であり、無線基地局装置１０１Ｆから送信される無線信号の搬送周波数がｆ３であり、無線アクセス方式がＬＴＥである。無線基地局装置１０１ＧのセルＩＤが７７７７であり、セル形態がマクロであり、無線基地局装置１０１Ｇから送信される無線信号の搬送周波数がｆ２であり、無線アクセス方式がＷ−ＣＤＭＡである。
【０１３１】
ここで、ＣＳＧ  ＩＤは、無線端末装置２０２、ならびにクローズドアクセスモードおよびハイブリッドモードの無線基地局装置に割り当てられるＩＤである。このＣＳＧ  ＩＤにより、無線端末装置２０２は、ある無線基地局装置１０１にとって自己がメンバーであるかノンメンバーであるかを識別することができる。
【０１３２】
図５は、本発明の第１の実施の形態に係る無線基地局装置の構成を示す図である。
図５を参照して、無線基地局装置１０１は、アンテナ９１と、サーキュレータ９２と、無線受信部９３と、無線送信部９４と、信号処理部９５とを備える。信号処理部９５は、受信信号処理部９６と、送信信号処理部９７とを含む。信号処理部９５は、ＣＰＵ（Central Processing Unit）またはＤＳＰ（Digital Signal Processor）等によって実現される。
【０１３３】
サーキュレータ９２は、アンテナ９１において受信された無線端末装置２０２からの無線信号を無線受信部９３へ出力し、また、無線送信部９４から受けた無線信号をアンテナ９１へ出力する。
【０１３４】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０１３５】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【０１３６】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０１３７】
無線送信部９４は、送信信号処理部９７から受けたデジタル信号をアナログ信号に変換し、変換したアナログ信号を無線信号に周波数変換してサーキュレータ９２へ出力する。
【０１３８】
図６は、本発明の第１の実施の形態に係る信号処理部の構成を示す図である。
図６を参照して、受信信号処理部９６は、属性情報取得部１１と、隣接セル情報生成部１２とを含む。送信信号処理部９７は、隣接セル情報送信部１３と、電力測定指示部１４とを含む。
【０１３９】
属性情報取得部１１は、少なくとも対象基地局以外の複数の無線基地局装置１０１の属性を示す属性情報を、他の無線基地局装置１０１および無線端末装置２０２の少なくとも一方からの情報に基づいて取得する。
【０１４０】
隣接セル情報生成部１２は、属性情報取得部１１によって取得された属性情報に基づいて、隣接セル情報を与える対象となる無線基地局装置（以下、対象基地局とも称する。）以外の無線通信システム３０１における複数の無線基地局装置１０１のうち、対象基地局の周辺に設置された１または複数の無線基地局装置１０１を示す隣接セル情報を生成する。本発明の第１の実施の形態に係る無線基地局装置では、対象基地局は自己の無線基地局装置１０１である。
【０１４１】
たとえば、隣接セル情報生成部１２は、対象基地局と通信する無線端末装置２０２のハンドオーバ先候補となる１または複数の無線基地局装置１０１を示す隣接セル情報を生成する。
【０１４２】
隣接セル情報送信部１３は、隣接セル情報生成部１２によって生成された隣接セル情報を自己の無線基地局装置１０１と通信可能な無線端末装置２０２、すなわち自己の無線基地局装置１０１によって形成されるセルに存在する無線端末装置２０２へ送信する。
【０１４３】
電力測定指示部１４は、他の無線基地局装置１０１から送信される無線信号の受信レベルを無線端末装置２０２に測定させるための測定開始要求を無線端末装置２０２へ送信する。
【０１４４】
［動作］
次に、本発明の第１の実施の形態に係る無線基地局装置が隣接セル情報を生成する際の動作について説明する。
【０１４５】
図７は、本発明の第１の実施の形態に係る無線通信システムにおいて、無線基地局装置が初期の隣接セル情報を生成するシーケンスの一例を示す図である。
【０１４６】
無線基地局装置１０１の起動時等、無線基地局装置１０１が隣接セル情報を有していない状態では、無線基地局装置１０１は、無線端末装置２０２に対して全周波数検索を指示する。たとえばＬＴＥでは、最初に無線端末装置２０２が当該無線基地局装置１０１とのＲＲＣ（Radio Resource Control）コネクションを確立した時、すなわち無線基地局装置１０１と通信を開始するための処理を完了した時に、当該無線基地局装置１０１は、当該無線端末装置２０２に対して全周波数検索を指示する。
【０１４７】
ここで、全周波数検索とは、無線通信システムにおいて設定されたすべての種類の送信周波数について、各無線基地局装置１０１からの無線信号の受信レベルを測定することを意味する。
【０１４８】
そして、無線基地局装置１０１は、無線端末装置２０２からの測定結果の報告に基づいて隣接セル情報を生成し、図示しない記憶部に保存する。
【０１４９】
より詳細には、図７を参照して、まず、無線基地局装置１０１Ａは、無線端末装置２０２の測定対象となる他の無線基地局装置を設定する（ステップＳ１０１）。
【０１５０】
次に、無線基地局装置１０１Ａは、設定した他の無線基地局装置から送信される無線信号の受信レベルを無線端末装置２０２に測定させるための測定開始要求を無線端末装置２０２へ送信する。この測定開始要求に、測定対象となる周波数および無線基地局装置の情報が含まれる（ステップＳ１０２）。
【０１５１】
次に、無線端末装置２０２は、無線基地局装置１０１Ａから測定開始要求を受信して、受信した測定開始要求の示す無線基地局装置から送信される無線信号の受信レベルを測定する（ステップＳ１０３）。
【０１５２】
次に、無線端末装置２０２は、この受信レベルの測定結果を示す測定結果通知を無線基地局装置１０１Ａへ送信する（ステップＳ１０４）。
【０１５３】
次に、無線基地局装置１０１Ａは、無線端末装置２０２から受信した測定結果通知に基づいて、初期の隣接セル情報を生成する（ステップＳ１０５）。
【０１５４】
なお、無線基地局装置１０１Ａは、起動時に限らず、一定期間ごとに最初にＲＲＣコネクションを確立した無線端末装置２０２に対して全周波数検索を指示してもよい。
【０１５５】
また、無線基地局装置１０１Ａがフェムト基地局であり、かつハイブリッドモードで動作する場合には、無線基地局装置１０１Ａは、たとえばノンメンバーの無線端末装置２０２がＲＲＣコネクションを確立する際に、当該無線端末装置２０２に対して全周波数検索を指示する。
【０１５６】
すなわち、電力測定指示部１４は、対象基地局がハイブリッドモードで動作する場合には、登録されていない無線端末装置２０２に対して、対象基地局以外の無線基地局装置１０１から送信される無線信号の受信レベルをすべての周波数において測定することを指示する。
【０１５７】
このような構成により、登録ユーザの所有する無線端末装置２０２の電力が消費される
ことを防ぐことができるため、適切な通信サービスを提供することができる。
【０１５８】
あるいは、電力測定指示部１４は、対象基地局がハイブリッドモードで動作する場合には、登録された無線端末装置２０２に対して、対象基地局以外の無線基地局装置１０１から送信される無線信号の受信レベルをすべての周波数において測定することを指示する構成であってもよい。
【０１５９】
このような構成により、無線端末装置２０２を即時に充電できる環境を有していない場合が多い非登録ユーザの所有する無線端末装置２０２の電力が消費されることを防ぐことができるため、適切な通信サービスを提供することができる。
【０１６０】
図８は、本発明の第１の実施の形態に係る無線通信システムにおけるハンドオーバ動作のシーケンスの一例を示す図である。
【０１６１】
図８を参照して、まず、無線基地局装置１０１Ａは、自己と通信中の無線端末装置２０２の測定対象となる周波数と、測定セルすなわち当該周波数の無線信号を送信する他の無線基地局装置とを設定する（ステップＳ８１）。
【０１６２】
次に、無線基地局装置１０１Ａは、設定した他の無線基地局装置から送信される無線信号の受信レベルを無線端末装置２０２に測定させるための測定開始要求を無線端末装置２０２へ送信する。この測定開始要求には、測定対象となる無線基地局装置１０１の情報すなわちセルＩＤが含まれる。この情報は、たとえば、図７に示すシーケンスによって生成した隣接セル情報である。また、この測定開始要求には、各無線基地局装置１０１の送信周波数が含まれる（ステップＳ８２）。
【０１６３】
次に、無線端末装置２０２は、無線基地局装置１０１Ａから測定開始要求を受信して、受信した測定開始要求の示す周波数において、測定開始要求の示す無線基地局装置から送信される無線信号の受信レベルを測定する（ステップＳ８３）。
【０１６４】
次に、無線端末装置２０２は、この受信レベルの測定結果を示す測定結果通知を無線基地局装置１０１Ａへ送信する。たとえば、無線端末装置２０２は、受信レベルの測定を定期的に行ない、無線基地局装置１０１Ａとの通信状態が悪くなった場合、および無線基地局装置１０１Ａ以外の他の無線基地局装置１０１との通信状態が良くなった場合に、測定結果通知を無線基地局装置１０１Ａへ送信する（ステップＳ８４）。
【０１６５】
次に、無線基地局装置１０１Ａは、無線端末装置２０２から受信した測定結果通知に基づいて、セルＩＤごとの測定結果を示す測定情報を取得し、図示しない記憶部に保存する（ステップＳ８５）。
【０１６６】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、隣接セル情報を参照してたとえば無線基地局装置１０１Ｂをハンドオーバ先として決定し、無線基地局装置１０１Ｂを示すハンドオーバ要求を上位装置へ送信する（ステップＳ８６）。
【０１６７】
ここで、本発明の第１の実施の形態に係る無線通信システムにおいて、ハンドオーバとは、通話中またはデータ通信中の無線端末装置２０２の通信相手となる無線基地局装置１０１が切り替えられることを意味する。
【０１６８】
次に、上位装置は、無線基地局装置１０１Ａからハンドオーバ要求を受信して、無線基地局装置１０１Ｂへ当該ハンドオーバ要求を送信する（ステップＳ８７）。
【０１６９】
次に、無線基地局装置１０１Ｂは、上位装置からハンドオーバ要求を受信して、上位装置へ当該ハンドオーバ要求に対するハンドオーバ応答を送信する（ステップＳ８８）。
【０１７０】
次に、上位装置は、無線基地局装置１０１Ｂからハンドオーバ応答を受信して、無線基地局装置１０１Ａへハンドオーバ指示を送信する（ステップＳ８９）。
【０１７１】
次に、無線基地局装置１０１Ａは、上位装置からハンドオーバ指示を受信して、無線端末装置２０２へＲＲＣコネクション再確立指示を送信する（ステップＳ９０）。
【０１７２】
次に、無線基地局装置１０１Ａは、上位装置へ自己の通信状態等を示す状態通知を送信する（ステップＳ９１）。
【０１７３】
次に、上位装置は、無線基地局装置１０１Ａから状態通知を受信して、無線基地局装置１０１Ｂへ無線端末装置２０２との通信内容等を示す状態通知を送信する（ステップＳ９２）。
【０１７４】
また、無線端末装置２０２および無線基地局装置１０１Ｂ間でＲＲＣコネクションが確立されると、無線端末装置２０２は、無線基地局装置１０１ＢへＲＲＣコネクション確立通知を送信する（ステップＳ９３）。
【０１７５】
次に、無線基地局装置１０１Ｂは、無線端末装置２０２からＲＲＣコネクション確立通知を受信して、上位装置へハンドオーバ完了通知を送信する（ステップＳ９４）。
【０１７６】
次に、上位装置は、無線基地局装置１０１Ｂからハンドオーバ完了通知を受信して、端末情報解放指示を無線基地局装置１０１Ａへ送信する（ステップＳ９５）。
【０１７７】
次に、無線基地局装置１０１Ａは、上位装置から端末情報解放指示を受信して、無線端末装置２０２に関する情報を解放し、上位装置へ端末情報解放完了通知を送信する（ステップＳ９６）。
【０１７８】
次に、図７に示すシーケンス等によって生成した隣接セル情報の更新方法について説明する。
【０１７９】
無線基地局装置１０１は、他の無線基地局装置から定期的にまたは不定期に送信される報知情報等から、図４に示す各無線基地局装置の属性の一部または全部を属性情報として取得し、図示しない記憶部に保存する。無線基地局装置１０１は、図示しない記憶部に保存された無線基地局装置のリストに対して、指標を用いて順位付けを行なう。すなわち、隣接セル情報生成部１２は、属性情報取得部１１によって取得された属性情報に基づいて、対象基地局以外の複数の無線基地局装置１０１のうち、対象基地局の周辺に配置された１または複数の無線基地局装置１０１を順位付けした隣接セル情報を生成する。
【０１８０】
たとえば、属性情報取得部１１は、対象基地局以外の複数の無線基地局装置１０１がマクロ基地局であるかフェムト基地局であるかを示す属性情報を取得する。
【０１８１】
図９は、無線基地局装置が取得した属性情報の一例を示す図である。
図９を参照して、無線基地局装置１０１Ａでは、セルＩＤが２２２２である無線基地局装置１０１Ｂのセル形態がマクロであり、セルＩＤが３３３３である無線基地局装置１０１Ｂのセル形態がフェムトであり、セルＩＤが４４４４である無線基地局装置１０１Ｄのセル形態がフェムトであり、セルＩＤが５５５５である無線基地局装置１０１Ｅのセル形態がフェムトであり、セルＩＤが６６６６である無線基地局装置１０１Ｆのセル形態がフェムトであり、セルＩＤが７７７７である無線基地局装置１０１Ｇのセル形態がマクロであることを示す属性情報が得られている。
【０１８２】
図１０は、無線基地局装置の生成する隣接セル情報の一例を示す図である。
図１０を参照して、マクロ基地局はフェムト基地局に比べて、電源がオフされにくいと考えられる。このため、無線基地局装置１０１Ａは、取得した図９に示す属性情報において、マクロ基地局の優先順位を上げた隣接セル情報を生成する。すなわち、隣接セル情報生成部１２は、対象基地局以外の複数の無線基地局装置１０１を順位付けし、この順位付けにおいて、マクロ基地局である無線基地局装置１０１の順位を、フェムト基地局である無線基地局装置１０１よりも上げる。
【０１８３】
具体的には、無線基地局装置１０１Ａは、図７に示すシーケンスによって生成した初期の隣接セル情報を、セル形態がマクロであるセルＩＤ２２２２（無線基地局装置１０１Ｂ）が１位であり、セル形態がマクロであるセルＩＤ７７７７（無線基地局装置１０１Ｇ）が１位であり、セル形態がフェムトであるセルＩＤ３３３３（無線基地局装置１０１Ｃ）が２位であり、セル形態がフェムトであるセルＩＤ４４４４（無線基地局装置１０１Ｄ）が２位であり、セル形態がフェムトであるセルＩＤ５５５５（無線基地局装置１０１Ｅ）が２位であり、セル形態がフェムトであるセルＩＤ６６６６（無線基地局装置１０１Ｆ）が２位であることを示す隣接セル情報に更新する。
【０１８４】
そして、無線基地局装置１０１Ａは、隣接セル情報を更新した場合には、たとえば、更新した隣接セル情報を各無線端末装置２０２に報知する。ここで、無線基地局装置１０１Ａは、たとえば順位付けした無線基地局装置のうち、上位からＮ個（Ｎは１以上の整数）を隣接セル情報として無線端末装置２０２に報知する。
【０１８５】
図１１は、無線基地局装置の生成する隣接セル情報の他の例を示す図である。
図１１を参照して、無線端末装置２０２に通知する隣接セル情報に登録可能な無線基地局装置が２つと限定されている場合には、無線基地局装置１０１Ａは、セルＩＤ２２２２（無線基地局装置１０１Ｂ）が１位であり、セルＩＤ７７７７（無線基地局装置１０１Ｇ）が１位であることを示す隣接セル情報を各無線端末装置２０２に通知する。なお、ここでは、隣接セル情報に登録されたすべての無線基地局装置の順位が１位となっているが、この場合、他の何らかの基準に基づいて異なる順位を付すことも可能である。
【０１８６】
図１２は、無線基地局装置の生成する隣接セル情報の他の例を示す図である。
本発明の第１の実施の形態に係る無線通信システムでは、隣接セル情報生成部１２は、属性情報取得部１１によって取得された属性情報に基づいて、対象基地局以外の複数の無線基地局装置１０１を順位付けし、順位付けの結果に基づいた隣接セル情報を生成する構成であるとしたが、これに限定するものではない。
【０１８７】
隣接セル情報生成部１２は、マクロ基地局／フェムト基地局の別による順位付けを行なわず、属性情報の示す属性が所定の属性と一致するか否かに基づいて、対象基地局以外の複数の無線基地局装置１０１を隣接セル情報に登録するか否かをそれぞれ決定する構成であってもよい。より詳細には、隣接セル情報生成部１２は、対象基地局以外の複数の無線基地局装置１０１の中から、属性情報の示す属性がマクロ基地局である無線基地局装置１０１またはフェムト基地局である無線基地局装置１０１を少なくとも除いた隣接セル情報を生成する構成であってもよい。
【０１８８】
図１２を参照して、たとえば、隣接セル情報生成部１２は、マクロ基地局であることを登録基準とし、フェムト基地局であることを非登録基準とする。この場合、隣接セル情報生成部１２は、無線基地局装置１０１Ｃ、１０１Ｄ、１０１Ｅおよび１０１Ｆを除き、無線基地局装置１０１Ｂおよび１０１Ｇを隣接セル情報に登録する。そして、隣接セル情報送信部１３は、当該隣接セル情報を各無線端末装置２０２に通知する。
【０１８９】
［隣接セル情報の通知］
上述のように、無線基地局装置１０１は、属性情報の取得に伴い、隣接セル情報の最適化を行なう。そして、この最適化された隣接セル情報は無線端末装置２０２へ通知する必要がある。すなわち、無線基地局装置１０１における隣接セル情報送信部１３は、隣接セル情報生成部１２によって生成された隣接セル情報を対象基地局である自己の無線基地局装置１０１と通信可能な無線端末装置２０２へ送信する。この通知方法としては、たとえば以下の３つの方法が考えられる。
【０１９０】
図１３は、本発明の第１の実施の形態に係る無線通信システムにおいて、無線基地局装置が隣接セル情報を無線端末装置へ通知する方法の一例を示す図である。
【０１９１】
図１３を参照して、無線基地局装置１０１Ａは、アイドル状態すなわち通話およびデータ通信を行なっていない状態の無線端末装置２０２に対して、隣接セル情報を報知情報に含めて通知する。この場合、無線基地局装置１０１Ａは、報知情報変化通知を利用して、隣接セル情報が更新されたことを無線端末装置２０２に通知する。
【０１９２】
より詳細には、無線基地局装置１０１Ａは、隣接セル情報の最適化が発生すると（ステップＳ２７）、報知情報変化通知をフェムトセルＦＣＡに存在する各無線端末装置２０２へブロードキャストする（ステップＳ２８）。
【０１９３】
次に、無線基地局装置１０１Ａは、更新した隣接セル情報を含んだ報知情報をフェムトセルＦＣＡに存在する各無線端末装置２０２へブロードキャストする。そして、報知情報変化通知を受信した無線端末装置２０２は、無線基地局装置１０１Ａから送信される報知情報から隣接セル情報を読み出し、自ら保持している隣接セル情報を、読み出した隣接セル情報に更新する（ステップＳ２９）。
【０１９４】
次に、無線端末装置２０２は、自律的にまたは無線基地局装置１０１Ａから測定開始要求を受信して、更新した隣接セル情報の示す無線基地局装置１０１から送信される無線信号の受信レベルを測定する（ステップＳ３０）。
【０１９５】
図１４は、本発明の第１の実施の形態に係る無線通信システムにおいて、無線基地局装置が隣接セル情報を無線端末装置へ通知する方法の一例を示す図である。
【０１９６】
図１４を参照して、たとえばＬＴＥでは、ＲＲＣコネクションの確立処理を行なう無線端末装置２０２に対して、無線基地局装置１０１Ａは、無線データリンクを設定する際に隣接セル情報を通知する。
【０１９７】
より詳細には、まず、無線端末装置２０２および無線基地局装置１０１Ａ間で無線制御信号のリンク設定、すなわちＩＰ（Internet Protocol）パケット等の通信データを送受信する前段階の各種制御処理が行われる（ステップＳ３１）。
【０１９８】
次に、無線端末装置２０２および無線基地局装置１０１Ａ間でＮＡＳ（Non-Access Stratum）層のセキュリティ処理、すなわち通信の暗号化に必要な情報の送受信が行われる（ステップＳ３２）。たとえば、ＬＴＥでは、無線端末装置２０２は、コアネットワークにおける上位装置との間で当該情報をやりとりし、無線基地局装置１０１Ａは当該情報を中継する役割を果たす。
【０１９９】
次に、無線端末装置２０２および無線基地局装置１０１Ａ間で無線データリンクの設定が行われ、その後、無線端末装置２０２および無線基地局装置１０１Ａ間でＩＰパケット等の通信データが送受信される。また、無線基地局装置１０１Ａは、他の無線基地局装置１０１から送信される無線信号の受信レベルを無線端末装置２０２に測定させるための測定開始要求を無線端末装置２０２へ送信する（ステップＳ３３）。たとえば、ＬＴＥでは、無線基地局装置１０１Ａから無線端末装置２０２に通知される無線データリンクの設定要求に、当該測定開始要求が含まれる。そして、この測定開始要求に隣接セル情報が含まれる。
【０２００】
次に、無線端末装置２０２は、無線基地局装置１０１Ａから測定開始要求を受信して、自ら保持している隣接セル情報を、新たに通知された隣接セル情報に更新し、更新した隣接セル情報の示す無線基地局装置１０１から送信される無線信号の受信レベルを測定する（ステップＳ３４）。
【０２０１】
図１５は、本発明の第１の実施の形態に係る無線通信システムにおいて、無線基地局装置が隣接セル情報を無線端末装置へ通知する方法の一例を示す図である。
【０２０２】
図１５を参照して、無線基地局装置１０１Ａは、自己と通信中の無線端末装置２０２に対して、測定変更要求を利用して隣接セル情報の更新を通知する。
【０２０３】
より詳細には、無線基地局装置１０１Ａは、隣接セル情報の最適化が発生すると（ステップＳ２７）、更新された隣接セル情報を測定変更要求に含めて無線端末装置２０２へ送信する（ステップＳ４１）。
【０２０４】
次に、無線端末装置２０２は、自ら保持している隣接セル情報を、無線基地局装置１０１Ａから受信した測定変更要求に含まれる隣接セル情報に変更し、変更した隣接セル情報の示す無線基地局装置１０１から送信される無線信号の受信レベルを測定する（ステップＳ４２）。
【０２０５】
ところで、フェムト基地局の購入者は、当該フェムト基地局の設置場所を独自に決めることができる。このため、フェムト基地局が設置された無線通信システムでは、フェムト基地局の移動および電源のオン／オフが起こりやすいことから、周辺にフェムト基地局が存在する無線基地局装置において適切な隣接セル情報を生成することが困難となる。
【０２０６】
たとえば、無線端末装置は、この隣接セル情報を用いて、自律的に、またはフェムト基地局からの指示に従い、隣接セル情報に登録されたフェムト基地局からの受信電力を測定し、この測定結果をフェムト基地局に報告する。この場合、ハンドオーバ先としては向かないフェムト基地局が隣接セル情報に登録されていると、無線端末装置が無駄な測定動作を行ない、また、無駄なハンドオーバが発生してしまう。
【０２０７】
これに対して、本発明の第１の実施の形態に係る無線通信システムでは、属性情報取得部１１は、少なくとも対象基地局以外の複数の無線基地局装置１０１の属性を示す属性情報を、たとえば他の無線基地局装置１０１からの報知情報に基づいて取得する。隣接セル情報生成部１２は、属性情報取得部１１によって取得された属性情報に基づいて、対象基地局以外の複数の無線基地局装置１０１のうち、対象基地局の周辺に配置された１または複数の無線基地局装置１０１を示す隣接セル情報を生成する。
【０２０８】
このような構成により、フェムト基地局の移動および電源のオン／オフに関わらず、隣接セル情報を自動的に最適化することができるため、人手を介すことなく、無線通信システム３０１における動作の効率化を図ることができる。また、自動的に隣接セル情報の最適化が行われることから、無線基地局装置１０１に対する特別な設置処理が不要となるため、無線基地局装置１０１を設置するための作業時間および費用の低減を図ることができる。
【０２０９】
また、本発明の第１の実施の形態に係る無線通信システムでは、隣接セル情報生成部１２は、属性情報取得部１１によって取得された属性情報に基づいて、対象基地局以外の複数の無線基地局装置１０１を順位付けし、順位付けの結果に基づいた隣接セル情報を生成する。
【０２１０】
このような構成により、詳細な隣接セル情報を生成し、無線通信システムにおける動作のさらなる効率化を図ることができる。たとえば、無線基地局装置１０１は、順位付け結果において上位の無線基地局装置を優先的にハンドオーバ先として選択することにより、ハンドオーバの成功率を高めることができる。
【０２１１】
また、本発明の第１の実施の形態に係る無線通信システムでは、隣接セル情報生成部１２は、順位付けした複数の無線基地局装置１０１のうち、上位からＮ個（Ｎは１以上の整数）の無線基地局装置を示す隣接セル情報を生成する。
【０２１２】
このような構成により、たとえば無線端末装置２０２に通知する隣接セル情報に含めることができる無線基地局装置の数に制限がある場合において、上位Ｎ個の無線基地局装置を隣接セル情報に含めることで、適切な隣接セル情報を無線端末装置２０２に通知することが可能となる。
【０２１３】
また、本発明の第１の実施の形態に係る無線通信システムでは、隣接セル情報生成部１２は、順位付けした無線基地局装置１０１の順位をさらに示す隣接セル情報を生成する。
【０２１４】
このような構成により、さらに詳細な隣接セル情報を生成し、無線通信システムにおける動作のさらなる効率化を図ることができる。たとえば、無線端末装置２０２は、隣接セル情報における無線基地局装置の順位に従い、測定順序の決定、および測定対象の無線基地局装置の絞り込み等を行ない、効率的な測定動作を行なうことができる。
【０２１５】
また、本発明の第１の実施の形態に係る無線通信システムでは、隣接セル情報生成部１２は、属性情報の示す属性が所定の属性と一致するか否かに基づいて、対象基地局以外の複数の無線基地局装置１０１を隣接セル情報に登録するか否かをそれぞれ決定する。
【０２１６】
このような構成により、無線基地局装置１０１の属性に応じて無線基地局装置１０１を隣接セル情報において適切に登録または削除することができる。
【０２１７】
また、本発明の第１の実施の形態に係る無線通信システムでは、属性情報取得部１１は、対象基地局以外の複数の無線基地局装置１０１がマクロ基地局であるかフェムト基地局であるかを示す属性情報を取得する。
【０２１８】
このように、隣接セル情報にどの無線基地局装置を含めるか、および無線基地局装置の順位付けの判断基準としてマクロ基地局／フェムト基地局の別を示す情報を用いることにより、適切な隣接セル情報を生成することができる。
【０２１９】
また、本発明の第１の実施の形態に係る無線通信システムでは、隣接セル情報生成部１２は、対象基地局以外の複数の無線基地局装置１０１を順位付けし、この順位付けにおいて、マクロ基地局である無線基地局装置１０１の順位を、フェムト基地局である無線基地局装置１０１よりも上げる。
【０２２０】
このように、マクロ基地局およびフェムト基地局が混在する無線通信システムにおいて、電源がオフされにくいマクロ基地局の優先順位を上げることにより、マクロ基地局／フェムト基地局の別による順位付けを適切に行なうことができる。
【０２２１】
また、本発明の第１の実施の形態に係る無線通信システムでは、隣接セル情報生成部１２は、対象基地局以外の複数の無線基地局装置１０１の中から、属性情報の示す属性がマクロ基地局である無線基地局装置１０１またはフェムト基地局である無線基地局装置１０１を少なくとも除いた隣接セル情報を生成する。
【０２２２】
このような構成により、マクロ基地局／フェムト基地局の別に応じて無線基地局装置１０１を隣接セル情報から適切に削除することができる。
【０２２３】
また、本発明の第１の実施の形態に係る無線通信システムにおける複数の無線基地局装置１０１のうちの少なくともいずれかはフェムト基地局である。
【０２２４】
このように、無線基地局装置の移動および電源のオン／オフが頻繁に起こる無線通信システムにおいて適切な隣接セル情報を生成することにより、無線通信システムにおける動作の効率化を図るという効果をより顕著に得ることができる。
【０２２５】
また、特許文献１に記載の技術を用いて自動的にフェムト基地局の設定を行なうと、周辺のフェムト基地局をすべて隣接セルとして扱って隣接セル情報に登録し、ハンドオーバ先の候補としてしまう。このため、無線端末装置に対してフェムト基地局が壁の向こう側に存在する等、本来ハンドオーバ先としては向かないフェムト基地局も隣接セル情報に登録してしまう可能性がある。
【０２２６】
これに対して、本発明の第１の実施の形態に係る無線通信システムでは、隣接セル情報生成部１２は、属性情報取得部１１によって取得された属性情報に基づいて、対象基地局以外の複数の無線基地局装置１０１のうち、対象基地局と通信する無線端末装置２０２のハンドオーバ先候補となる１または複数の無線基地局装置１０１を示す隣接セル情報を生成する。
【０２２７】
このような構成により、設置された無線基地局装置１０１のフェムトセル内におけるハンドオーバ動作を最適な状態にすることが可能となる。また、隣接セル情報の最適化を行なうことにより、通信中の無線端末装置２０２のハンドオーバ先候補となる隣接セルの数を低減することができるため、無駄なハンドオーバが発生することを防ぐことができる。
【０２２８】
また、本発明の第１の実施の形態に係る無線通信システムでは、隣接セル情報生成部１２は、対象基地局以外の複数の無線基地局装置１０１のうち、無線端末装置２０２の測定対象となる１または複数の無線基地局装置１０１を示す隣接セル情報を生成する。
【０２２９】
このように、隣接セル情報の最適化を行なうことにより、無線端末装置２０２が測定を行なう対象となる隣接セルの数を低減することができるため、無線端末装置２０２が無駄な測定動作を行なうことを防ぐことができる。
【０２３０】
また、本発明の第１の実施の形態に係る無線通信システムでは、隣接セル情報生成部１２は、対象基地局以外の複数の無線基地局装置１０１のうち、無線端末装置２０２が受信レベルを測定する対象となる無線信号を送信する１または複数の無線基地局装置１０１を示す隣接セル情報を生成する。
【０２３１】
このように、隣接セル情報の最適化を行なうことにより、無線端末装置２０２が受信レベル測定を行なう対象となる隣接セルの数を低減することができるため、無線端末装置２０２が無駄な測定動作を行なうことを防ぐことができる。特に、アイドル状態の無線端末装置２０２の消費電力を低減することができるため、顕著な効果が得られる。
【０２３２】
また、本発明の第１の実施の形態に係る無線通信システムでは、隣接セル情報生成部１２は、対象基地局以外の複数の無線基地局装置１０１のうち、アイドル状態すなわち対象基地局と通信中でない無線端末装置２０２が受信レベルを測定する対象となる無線信号を送信する１または複数の無線基地局装置１０１を示す隣接セル情報を生成する。
【０２３３】
このような構成により、無線基地局装置１０１からの報知情報等によって指示される定期的な電力測定の対象となる隣接セルの数を低減することができるため、無線端末装置２０２が無駄な測定動作を行なうことを防ぐことができる。
【０２３４】
また、本発明の第１の実施の形態に係る無線通信システムでは、隣接セル情報生成部１２は、対象基地局と通信する無線端末装置２０２が、対象基地局以外の無線基地局装置１０１から送信される無線信号の受信レベルをすべての周波数について測定した結果に基づいて、隣接セル情報の初期情報を生成する。
【０２３５】
このような構成により、適切な隣接セル情報を早期に構築することが可能となり、無線通信システム３０１における動作の効率化を早期に実現することができる。
【０２３６】
また、本発明の第１の実施の形態に係る無線通信システムでは、無線基地局装置１０１が、単体で隣接セル情報の最適化を行なう。すなわち、本発明の第１の実施の形態に係る隣接セル処理装置は、無線基地局装置１０１に含まれる。
【０２３７】
このような構成により、たとえばコアネットワークにおける上位装置で各無線基地局装置１０１の隣接セル情報の最適化を行なう必要がなくなり、無線通信システム３０１における処理負荷の分散、ならびに無線基地局装置１０１および上位装置間における通信量の低減を図ることができる。
【０２３８】
なお、本発明の第１の実施の形態に係る無線通信システムでは、無線基地局装置１０１が他の無線基地局装置１０１からの情報に基づいて無線基地局装置１０１の属性情報を取得する構成であるとしたが、これに限定するものではない。無線端末装置２０２が無線基地局装置１０１からの報知情報等によって当該無線基地局装置１０１の属性を取得することが可能である場合には、無線端末装置２０２が、取得した属性を対象基地局に報告し、対象基地局がこの報告に基づいて他の無線基地局装置１０１の属性情報を取得する構成であってもよい。
【０２３９】
また、本発明の第１の実施の形態に係る無線通信システムでは、隣接セル情報生成部１２は、マクロ基地局の優先順位を上げた隣接セル情報を生成する構成であるとしたが、これに限定するものではない。隣接セル情報生成部１２は、対象基地局以外の複数の無線基地局装置１０１を順位付けし、この順位付けにおいて、フェムト基地局である無線基地局装置１０１の順位を、マクロ基地局である無線基地局装置１０１よりも上げる構成であってもよい。
【０２４０】
このような構成により、マクロ基地局およびフェムト基地局が混在する通信システムにおいて、フェムト基地局を隣接セル情報に優先して登録すべき状況において、マクロ基地局／フェムト基地局の別による順位付けを適切に行なうことができる。
【０２４１】
また、本発明の第１の実施の形態に係る無線基地局装置では、隣接セル情報生成部１２は、対象基地局と通信する無線端末装置２０２が、対象基地局以外の無線基地局装置１０１から送信される無線信号の受信レベルをすべての周波数について測定した結果に基づいて、隣接セル情報の初期情報を生成する構成であるとしたが、これに限定するものではない。無線通信システムにおける無線基地局装置１０１の送信周波数を全種類測定する構成に限らず、それらの一部である複数の周波数を測定する構成であってもよい。
【０２４２】
また、本発明の第１の実施の形態に係る無線通信システムでは、ハンドオーバの動作として、無線端末装置２０２の通信相手となる無線基地局装置１０１が無線基地局装置１０１主導で切り替えられる構成であるとしたが、これに限定するものではない。無線端末装置２０２の通信相手となる無線基地局装置１０１が無線端末装置２０２主導で切り替えられる構成であってもよい。
【０２４３】
また、本発明の第１の実施の形態では、無線端末装置のハンドオーバ動作について具体的な説明を行なったが、無線基地局装置と通信中の無線端末装置が行なう基地局間移動（セル間移動）動作であるハンドオーバに限らず、アイドル状態の無線端末装置が行なう基地局間移動（セル間移動）動作についても、本発明は適用される。すなわち、本発明の第１の実施の形態において、「ハンドオーバ」を「移動」に置き換えた構成および動作についても、本発明は適用される。
【０２４４】
次に、本発明の他の実施の形態について図面を用いて説明する。なお、図中同一または相当部分には同一符号を付してその説明は繰り返さない。
【０２４５】
＜第２の実施の形態＞
本実施の形態は、第１の実施の形態に係る無線通信システムと比べて属性情報の内容を変更した無線通信システムに関する。以下で説明する内容以外は第１の実施の形態に係る無線通信システムと同様である。
【０２４６】
無線基地局装置１０１は、クローズドアクセスモードまたはハイブリッドモードで動作する場合において、設定された加入者グループに属する、すなわちＣＳＧ  ＩＤが設定されている。そして、無線基地局装置１０１は、同じ加入者グループに属する無線端末装置２０２すなわち自己と同じＣＳＧ  ＩＤを有する無線端末装置２０２に対して通信を許可する。
【０２４７】
そして、無線端末装置２０２が利用できる可能性の高い無線リソースという観点から無線基地局装置の優先順位を考えると、（１）クローズドアクセスモードで動作し、かつ当該無線端末装置２０２がメンバーとなるフェムト基地局すなわち自己と同じＣＳＧ  ＩＤを有するフェムト基地局、（２）ハイブリッドモードで動作し、かつ当該無線端末装置２０２がメンバーとなるフェムト基地局、（３）マクロ基地局、（４）オープンアクセスモードで動作するフェムト基地局、（５）ハイブリッドモードで動作し、かつ当該無線端末装置２０２がノンメンバーとなるフェムト基地局すなわち自己と異なるＣＳＧ  ＩＤを有するフェムト基地局、（６）クローズドアクセスモードで動作するフェムト基地局であり、かつ当該無線端末装置２０２がノンメンバーとなるフェムト基地局、の順番となる。
【０２４８】
ただし、「クローズドアクセスモードで動作し、かつ当該無線端末装置２０２がメンバーとなるフェムト基地局」および「ハイブリッドモードで動作し、かつ当該無線端末装置２０２がメンバーとなるフェムト基地局」については、無線基地局装置１０１において、他の無線基地局装置１０１からの報知情報および無線端末装置２０２からの報告等により周辺の無線基地局装置１０１のＣＳＧ  ＩＤが判明しており、かつ、自己と同じＣＳＧ  ＩＤを持つ無線端末装置２０２に対して隣接セル情報を個別に適用する、たとえば無線端末装置２０２に対する測定要求またはハンドオーバ先の検索において隣接セル情報を個別に使用する場合にのみ有用となる。
【０２４９】
このため、無線基地局装置１０１Ａが、自己と通信可能なすべての無線端末装置２０２に共通の隣接セル情報を報知し、かつ後述する変形例のような自己のアクセスモードを考慮した隣接セル情報の生成を行なわない場合には、ＣＳＧ  ＩＤの異同による順位付けは行なわない。
【０２５０】
そうすると、無線端末装置２０２が利用できる可能性の高い無線リソースという観点からの無線基地局装置の優先順位は、（１）マクロ基地局、（２）オープンアクセスモードで動作するフェムト基地局、（３）ハイブリッドモードで動作するフェムト基地局、（４）クローズドアクセスモードで動作するフェムト基地局の順番となる。
【０２５１】
この場合、属性情報取得部１１は、対象基地局以外の複数の無線基地局装置１０１がマクロ基地局であるかフェムト基地局であるかを示し、かつフェムト基地局である無線基地局装置１０１が、オープンアクセスモード、クローズドアクセスモードおよびハイブリッドモードのいずれで動作しているかを示す属性情報を取得する。
【０２５２】
図１６は、無線基地局装置が取得した属性情報の一例を示す図である。
図１６を参照して、無線基地局装置１０１Ａでは、セルＩＤが２２２２である無線基地局装置１０１Ｂのセル形態がマクロであり、セルＩＤが３３３３である無線基地局装置１０１Ｃのセル形態がフェムトであり、アクセスモードがハイブリッドモードであり、セルＩＤが４４４４である無線基地局装置１０１Ｄのセル形態がフェムトであり、アクセスモードがクローズドアクセスモードであり、セルＩＤが５５５５である無線基地局装置１０１Ｅのセル形態がフェムトであり、アクセスモードがオープンアクセスモードであり、セルＩＤが６６６６である無線基地局装置１０１Ｆのセル形態がフェムトであり、アクセスモードがハイブリッドモードであり、セルＩＤが７７７７である無線基地局装置１０１Ｇのセル形態がマクロであることを示す属性情報が得られている。
【０２５３】
図１７は、無線基地局装置の生成する隣接セル情報の一例を示す図である。
図１７を参照して、無線基地局装置１０１Ａは、取得した図１６に示す属性情報において、上記優先順位付けに従った隣接セル情報を生成する。すなわち、隣接セル情報生成部１２は、対象基地局以外の複数の無線基地局装置１０１を順位付けし、この順位付けにおいて、マクロ基地局である無線基地局装置１０１、オープンアクセスモードで動作するフェムト基地局である無線基地局装置１０１、ハイブリッドモードで動作するフェムト基地局である無線基地局装置１０１およびクローズドアクセスモードで動作するフェムト基地局である無線基地局装置１０１の順位をこの順番で高くする。
【０２５４】
具体的には、無線基地局装置１０１Ａは、図７に示すシーケンスによって生成した初期の隣接セル情報を、セル形態がマクロであるセルＩＤ２２２２（無線基地局装置１０１Ｂ）が１位であり、セル形態がマクロであるセルＩＤ７７７７（無線基地局装置１０１Ｇ）が１位であり、セル形態がフェムトでオープンアクセスモードで動作するセルＩＤ５５５５（無線基地局装置１０１Ｅ）が２位であり、セル形態がフェムトでハイブリッドモードで動作するセルＩＤ３３３３（無線基地局装置１０１Ｃ）が３位であり、セル形態がフェムトでハイブリッドモードで動作するセルＩＤ６６６６（無線基地局装置１０１Ｆ）が３位であり、セル形態がフェムトでクローズドアクセスモードで動作するのセルＩＤ４４４４（無線基地局装置１０１Ｄ）が４位であることを示す隣接セル情報に更新する。
【０２５５】
そして、無線基地局装置１０１Ａは、隣接セル情報を更新した場合には、たとえば、更新した隣接セル情報を各無線端末装置２０２に報知する。ここで、無線基地局装置１０１Ａは、たとえば順位付けした無線基地局装置のうち、上位からＮ個（Ｎは１以上の整数）を隣接セル情報として無線端末装置２０２に報知する。
【０２５６】
図１８は、無線基地局装置の生成する隣接セル情報の他の例を示す図である。
図１８を参照して、無線端末装置２０２に通知する隣接セル情報に登録可能な無線基地局装置が３つと限定されている場合には、無線基地局装置１０１Ａは、セルＩＤ２２２２（無線基地局装置１０１Ｂ）が１位であり、セルＩＤ７７７７（無線基地局装置１０１Ｇ）が１位であり、セルＩＤ５５５５（無線基地局装置１０１Ｅ）が２位であることを示す隣接セル情報を各無線端末装置２０２に通知する。
【０２５７】
図１９は、無線基地局装置の生成する隣接セル情報の他の例を示す図である。
本発明の第２の実施の形態に係る無線通信システムでは、隣接セル情報生成部１２は、属性情報取得部１１によって取得された属性情報に基づいて、対象基地局以外の複数の無線基地局装置１０１を順位付けし、順位付けの結果に基づいた隣接セル情報を生成する構成であるとしたが、これに限定するものではない。
【０２５８】
隣接セル情報生成部１２は、マクロ基地局／フェムト基地局の別およびアクセスモードの別による順位付けを行なわず、属性情報の示す属性が所定の属性と一致するか否かに基づいて、対象基地局以外の複数の無線基地局装置１０１を隣接セル情報に登録するか否かをそれぞれ決定する構成であってもよい。より詳細には、隣接セル情報生成部１２は、対象基地局以外の複数の無線基地局装置１０１の中から、マクロ基地局である無線基地局装置１０１、オープンアクセスモードで動作するフェムト基地局である無線基地局装置１０１、ハイブリッドモードで動作するフェムト基地局である無線基地局装置１０１およびクローズドアクセスモードで動作するフェムト基地局である無線基地局装置１０１の４種類のうちの１種類、２種類または３種類を少なくとも除いた隣接セル情報を生成する。
【０２５９】
図１９を参照して、たとえば、隣接セル情報生成部１２は、マクロ基地局、オープンアクセスモードで動作するフェムト基地局、またはハイブリッドモードで動作するフェムト基地局であることを登録基準とし、クローズドアクセスモードで動作するフェムト基地局であることを非登録基準とする。この場合、隣接セル情報生成部１２は、無線基地局装置１０１Ｄを除き、無線基地局装置１０１Ｂ、１０１Ｃ、１０１Ｅ、１０１Ｆおよび１０１Ｇを隣接セル情報に登録する。そして、隣接セル情報送信部１３は、当該隣接セル情報を各無線端末装置２０２に通知する。
【０２６０】
［変形例］
この変形例では、属性情報取得部１１は、対象基地局以外の複数の無線基地局装置１０１の属性に加えて、対象基地局の属性をさらに示す属性情報を取得する。そして、隣接セル情報生成部１２は、属性情報取得部１１によって取得された属性情報の示す対象基地局の属性、および対象基地局以外の複数の無線基地局装置１０１の属性に基づいて隣接セル情報を生成する。
【０２６１】
より詳細には、属性情報取得部１１は、対象基地局、および対象基地局以外の複数の無線基地局装置１０１がマクロ基地局であるかフェムト基地局であるかを示し、対象基地局、および対象基地局以外の複数の無線基地局装置１０１が、オープンアクセスモード、クローズドアクセスモードおよびハイブリッドモードのいずれで動作しているかを示し、かつ対象基地局、および対象基地局以外の複数の無線基地局装置１０１がそれぞれ属する加入者グループを示す属性情報を取得する。
【０２６２】
隣接セル情報生成部１２は、対象基地局以外の複数の無線基地局装置１０１を順位付けし、この順位付けにおいて、対象基地局と同じ加入者グループに属する無線基地局装置１０１の順位を、対象基地局と異なる加入者グループに属する無線基地局装置１０１よりも上げる。
【０２６３】
図２０は、無線基地局装置が取得した属性情報の一例を示す図である。
図２０を参照して、無線基地局装置１０１Ａでは、セルＩＤが１１１１である自己の無線基地局装置１０１Ａのセル形態がフェムトであり、アクセスモードがクローズドアクセスモードであり、ＣＳＧ  ＩＤが８８８８であり、セルＩＤが２２２２である無線基地局装置１０１Ｂのセル形態がマクロであり、セルＩＤが３３３３である無線基地局装置１０１Ｃのセル形態がフェムトであり、アクセスモードがハイブリッドモードであり、ＣＳＧ  ＩＤが８８８８であり、セルＩＤが４４４４である無線基地局装置１０１Ｄのセル形態がフェムトであり、アクセスモードがクローズドアクセスモードであり、ＣＳＧ  ＩＤが８８８８であり、セルＩＤが５５５５である無線基地局装置１０１Ｅのセル形態がフェムトであり、アクセスモードがオープンアクセスモードであり、セルＩＤが６６６６である無線基地局装置１０１Ｆのセル形態がフェムトであり、アクセスモードがハイブリッドモードであり、ＣＳＧ  ＩＤが９９９９であり、セルＩＤが７７７７である無線基地局装置１０１Ｇのセル形態がマクロであることを示す属性情報が得られている。
【０２６４】
図２１は、無線基地局装置の生成する隣接セル情報の一例を示す図である。
図２１を参照して、無線基地局装置１０１Ａがクローズドアクセスモードで動作する場合を考える。無線端末装置２０２は、現在通信中である無線基地局装置１０１Ａと同じＣＳＧ  ＩＤを有する他の無線基地局装置１０１にとって自己がメンバーであると認識することが可能である。この場合、無線端末装置２０２が利用できる可能性の高い無線リソースという観点から無線基地局装置の優先順位を考えると、（１）クローズドアクセスモードで動作し、かつ自己の無線基地局装置と同じＣＳＧ  ＩＤを有するフェムト基地局、（２）ハイブリッドモードで動作し、かつ自己の無線基地局装置と同じＣＳＧ  ＩＤを有するフェムト基地局、（３）マクロ基地局、（４）オープンアクセスモードで動作するフェムト基地局、（５）ハイブリッドモードで動作し、かつ自己の無線基地局装置と異なるＣＳＧ  ＩＤを有するフェムト基地局、の順番となる。
【０２６５】
ここで、自己の無線基地局装置と異なるＣＳＧ  ＩＤを有し、クローズドアクセスモードで動作するフェムト基地局にとっても、自己と通信可能な無線端末装置２０２がメンバーである可能性もあるが、メンバーでない無線端末装置２０２も存在するため、上記優先順位付けでは、このようなフェムト基地局を優先順位付けの対象外としている。
【０２６６】
無線基地局装置１０１Ａは、取得した図２０に示す属性情報において、上記優先順位に従った隣接セル情報を生成する。すなわち、隣接セル情報生成部１２は、対象基地局がクローズドアクセスモードで動作するフェムト基地局である場合には、無線基地局装置１０１の順位付けにおいて、クローズドアクセスモードで動作し、かつ対象基地局と同じ加入者グループに属するフェムト基地局である無線基地局装置１０１、ハイブリッドモードで動作し、かつ対象基地局と同じ加入者グループに属するフェムト基地局である無線基地局装置１０１、マクロ基地局である無線基地局装置１０１、オープンアクセスモードで動作するフェムト基地局である無線基地局装置１０１、ハイブリッドモードで動作し、かつ対象基地局と異なる加入者グループに属するフェムト基地局である無線基地局装置１０１をこの順番で高くする。
【０２６７】
具体的には、無線基地局装置１０１Ａは、図７に示すシーケンスによって生成した初期の隣接セル情報を、セル形態がフェムトであってクローズドアクセスモードで動作し、ＣＳＧ  ＩＤが８８８８と自己のＣＳＧ  ＩＤと同じであるセルＩＤ４４４４（無線基地局装置１０１Ｄ）が１位であり、セル形態がフェムトであってハイブリッドモードで動作し、ＣＳＧ  ＩＤが８８８８と自己のＣＳＧ  ＩＤと同じであるセルＩＤ３３３３（無線基地局装置１０１Ｃ）が２位であり、セル形態がマクロであるセルＩＤ２２２２（無線基地局装置１０１Ｂ）が３位であり、セル形態がマクロであるセルＩＤ７７７７（無線基地局装置１０１Ｇ）が３位であり、セル形態がフェムトであってオープンアクセスモードで動作するセルＩＤ５５５５（無線基地局装置１０１Ｅ）が５位であり、セル形態がフェムトであってハイブリッドモードで動作し、ＣＳＧ  ＩＤが９９９９と自己のＣＳＧ  ＩＤと異なるセルＩＤ６６６６（無線基地局装置１０１Ｆ）が６位であることを示す隣接セル情報に更新する。
【０２６８】
そして、無線基地局装置１０１Ａは、隣接セル情報を更新した場合には、たとえば、更新した隣接セル情報を各無線端末装置２０２に報知する。ここで、無線基地局装置１０１Ａは、たとえば順位付けした無線基地局装置のうち、上位からＮ個（Ｎは１以上の整数）を隣接セル情報として無線端末装置２０２に報知する。
【０２６９】
図２２は、無線基地局装置の生成する隣接セル情報の他の例を示す図である。
図２２を参照して、無線端末装置２０２に通知する隣接セル情報に登録可能な無線基地局装置が４つと限定されている場合には、無線基地局装置１０１Ａは、セルＩＤ４４４４（無線基地局装置１０１Ｄ）が１位であり、セルＩＤ３３３３（無線基地局装置１０１Ｃ）が２位であり、セルＩＤ２２２２（無線基地局装置１０１Ｂ）が３位であり、セルＩＤ７７７７（無線基地局装置１０１Ｇ）が３位であることを示す隣接セル情報を各無線端末装置２０２に通知する。
【０２７０】
図２３は、無線基地局装置の生成する隣接セル情報の他の例を示す図である。
本発明の第１の実施の形態に係る無線通信システムでは、隣接セル情報生成部１２は、属性情報取得部１１によって取得された属性情報に基づいて、対象基地局以外の複数の無線基地局装置１０１を順位付けし、この順位付けの結果に基づいた隣接セル情報を生成する構成であるとしたが、これに限定するものではない。
【０２７１】
隣接セル情報生成部１２は、マクロ基地局／フェムト基地局の別、アクセスモードの別およびＣＳＧ  ＩＤの異同による順位付けを行なわず、属性情報の示す属性が所定の属性と一致するか否かに基づいて、対象基地局以外の複数の無線基地局装置１０１を隣接セル情報に登録するか否かをそれぞれ決定する構成であってもよい。より詳細には、隣接セル情報生成部１２は、対象基地局がクローズドアクセスモードで動作するフェムト基地局である場合には、対象基地局以外の複数の無線基地局装置１０１の中から、クローズドアクセスモードで動作し、かつ対象基地局と同じ加入者グループに属するフェムト基地局である無線基地局装置１０１、ハイブリッドモードで動作し、かつ対象基地局と同じ加入者グループに属するフェムト基地局である無線基地局装置１０１、マクロ基地局である無線基地局装置１０１、オープンアクセスモードで動作するフェムト基地局である無線基地局装置１０１、およびハイブリッドモードで動作し、かつ対象基地局と異なる加入者グループに属するフェムト基地局である無線基地局装置１０１の５種類のうちの１種類、２種類、３種類または４種類を少なくとも除いた隣接セル情報を生成する。
【０２７２】
図２３を参照して、たとえば、隣接セル情報生成部１２は、ハイブリッドモードまたはクローズドアクセスモードで動作し、かつ自己の無線基地局装置と同じＣＳＧ  ＩＤのフェムト基地局、オープンアクセスモードで動作するフェムト基地局、またはマクロ基地局であることを登録基準とし、ハイブリッドモードまたはクローズドアクセスモードで動作し、かつ自己の無線基地局装置と異なるＣＳＧ  ＩＤのフェムト基地局であることを非登録基準とする。この場合、隣接セル情報生成部１２は、無線基地局装置１０１Ｆを除き、無線基地局装置１０１Ｂ、１０１Ｃ、１０１Ｄ、１０１Ｅおよび１０１Ｇを隣接セル情報に登録する。そして、隣接セル情報送信部１３は、当該隣接セル情報を各無線端末装置２０２に通知する。
【０２７３】
次に、無線基地局装置１０１Ａがハイブリッドモードまたはオープンアクセスモードモードで動作する場合、および無線基地局装置１０１Ａがマクロ基地局であると仮定した場合を考える。
【０２７４】
無線基地局装置１０１Ａと通信を行なう無線端末装置２０２は、メンバーである場合、すなわち無線基地局装置１０１Ａと同じＣＳＧに属する場合と、ノンメンバーである場合、すなわち異なるＣＳＧに属する場合と、どのＣＳＧにも属さない場合とがある。このため、無線基地局装置１０１Ａが、自己と通信可能なすべての無線端末装置２０２に共通の隣接セル情報を報知する場合には、ハイブリッドモードで動作し、かつ自己と同じＣＳＧ  ＩＤを有するフェムト基地局と、ハイブリッドモードで動作し、かつ自己と異なるＣＳＧ  ＩＤを有するフェムト基地局との優先順位、ならびにクローズドアクセスモードで動作し、かつ自己と同じＣＳＧ  ＩＤを有するフェムト基地局と、クローズドアクセスモードで動作し、かつ自己と異なるＣＳＧ  ＩＤを有するフェムト基地局との優先順位は一意に決めることができない。
【０２７５】
そうすると、無線端末装置２０２が利用できる可能性の高い無線リソースという観点からの無線基地局装置の優先順位は、（１）マクロ基地局、（２）オープンアクセスモードで動作するフェムト基地局、（３）ハイブリッドモードで動作するフェムト基地局、（４）クローズドアクセスモードで動作するフェムト基地局の順番となる。
【０２７６】
すなわち、無線基地局装置１０１Ａがハイブリッドモードまたはオープンアクセスモードモードで動作する場合、および無線基地局装置１０１Ａがマクロ基地局であると仮定した場合における隣接セル情報の生成方法は、図１７〜図１９で説明した内容と同様となる。
【０２７７】
以上のように、本発明の第２の実施の形態に係る無線通信システムでは、属性情報取得部１１は、対象基地局以外の複数の無線基地局装置１０１がマクロ基地局であるかフェムト基地局であるかに加えて、フェムト基地局である無線基地局装置１０１が、オープンアクセスモード、クローズドアクセスモードおよびハイブリッドモードのいずれで動作しているかをさらに示す属性情報を取得する。
【０２７８】
このように、隣接セル情報にどの無線基地局装置を含めるか、および無線基地局装置の順位付けの判断基準としてマクロ基地局／フェムト基地局の別およびアクセスモードの別を示す情報を用いることにより、本発明の第１の実施の形態に係る無線通信システムと比べて、さらに適切な隣接セル情報を生成することができる。
【０２７９】
また、本発明の第２の実施の形態に係る無線通信システムでは、隣接セル情報生成部１２は、対象基地局以外の複数の無線基地局装置１０１を順位付けし、この順位付けにおいて、マクロ基地局である無線基地局装置１０１、オープンアクセスモードで動作するフェムト基地局である無線基地局装置１０１、ハイブリッドモードで動作するフェムト基地局である無線基地局装置１０１およびクローズドアクセスモードで動作するフェムト基地局である無線基地局装置１０１の順位をこの順番で高くする。
【０２８０】
このような構成により、マクロ基地局／フェムト基地局の別およびアクセスモードの別に応じて無線基地局装置１０１の順位付けを適切に行なうことができる。
【０２８１】
また、本発明の第２の実施の形態に係る無線通信システムでは、隣接セル情報生成部１２は、対象基地局以外の複数の無線基地局装置１０１の中から、マクロ基地局である無線基地局装置１０１、オープンアクセスモードで動作するフェムト基地局である無線基地局装置１０１、ハイブリッドモードで動作するフェムト基地局である無線基地局装置１０１およびクローズドアクセスモードで動作するフェムト基地局である無線基地局装置１０１の４種類のうちの１種類、２種類または３種類を少なくとも除いた隣接セル情報を生成する。
【０２８２】
このような構成により、マクロ基地局／フェムト基地局の別およびアクセスモードの別に応じて無線基地局装置１０１を隣接セル情報から適切に削除することができる。
【０２８３】
また、本発明の第２の実施の形態に係る無線通信システムでは、属性情報取得部１１は、対象基地局以外の複数の無線基地局装置１０１の属性に加えて、対象基地局の属性をさらに示す属性情報を取得する。そして、隣接セル情報生成部１２は、属性情報取得部１１によって取得された属性情報の示す対象基地局の属性、および対象基地局以外の複数の無線基地局装置１０１の属性に基づいて隣接セル情報を生成する。
【０２８４】
このように、隣接セル情報にどの無線基地局装置を含めるか、および無線基地局装置の順位付けの判断基準として、対象基地局以外の複数の無線基地局装置１０１の属性を示す情報に加えて、対象基地局の属性を示す情報を用いることにより、さらに適切な隣接セル情報を生成することができる。
【０２８５】
また、本発明の第２の実施の形態に係る無線通信システムでは、属性情報取得部１１は、対象基地局、および対象基地局以外の複数の無線基地局装置１０１がそれぞれ属する加入者グループをさらに示す属性情報を取得する。
【０２８６】
このように、隣接セル情報にどの無線基地局装置を含めるか、および無線基地局装置の順位付けの判断基準として対象基地局、および対象基地局以外の複数の無線基地局装置１０１について、マクロ基地局／フェムト基地局の別、アクセスモードの別および加入者グループすなわちＣＳＧ  ＩＤの異同を示す情報を用いることにより、さらに適切な隣接セル情報を生成することができる。
【０２８７】
また、本発明の第２の実施の形態に係る無線通信システムでは、隣接セル情報生成部１２は、対象基地局以外の複数の無線基地局装置１０１を順位付けし、この順位付けにおいて、対象基地局と同じ加入者グループに属する無線基地局装置１０１の順位を、対象基地局と異なる加入者グループに属する無線基地局装置１０１よりも上げる。
【０２８８】
このような構成により、加入者グループすなわちＣＳＧ  ＩＤの異同に応じて無線基地局装置１０１の順位付けを適切に行なうことができる。
【０２８９】
また、本発明の第２の実施の形態に係る無線通信システムでは、対象基地局以外の複数の無線基地局装置１０１を順位付けし、対象基地局がクローズドアクセスモードで動作するフェムト基地局である場合には、この順位付けにおいて、クローズドアクセスモードで動作し、かつ対象基地局と同じ加入者グループに属するフェムト基地局である無線基地局装置１０１、ハイブリッドモードで動作し、かつ対象基地局と同じ加入者グループに属するフェムト基地局である無線基地局装置１０１、マクロ基地局である無線基地局装置１０１、オープンアクセスモードで動作するフェムト基地局である無線基地局装置１０１、ハイブリッドモードで動作し、かつ対象基地局と異なる加入者グループに属するフェムト基地局である無線基地局装置１０１をこの順番で高くする。
【０２９０】
このような構成により、マクロ基地局／フェムト基地局の別、アクセスモードの別および加入者グループすなわちＣＳＧ  ＩＤの異同に応じて無線基地局装置１０１の順位付けを適切に行なうことができる。
【０２９１】
また、本発明の第２の実施の形態に係る無線通信システムでは、隣接セル情報生成部１２は、対象基地局がクローズドアクセスモードで動作するフェムト基地局である場合には、対象基地局以外の複数の無線基地局装置１０１の中から、クローズドアクセスモードで動作し、かつ対象基地局と同じ加入者グループに属するフェムト基地局である無線基地局装置１０１、ハイブリッドモードで動作し、かつ対象基地局と同じ加入者グループに属するフェムト基地局である無線基地局装置１０１、マクロ基地局である無線基地局装置１０１、オープンアクセスモードで動作するフェムト基地局である無線基地局装置１０１、およびハイブリッドモードで動作し、かつ対象基地局と異なる加入者グループに属するフェムト基地局である無線基地局装置１０１の５種類のうちの１種類、２種類、３種類または４種類を少なくとも除いた隣接セル情報を生成する。
【０２９２】
このような構成により、マクロ基地局／フェムト基地局の別、アクセスモードの別および加入者グループすなわちＣＳＧ  ＩＤの異同に応じて無線基地局装置１０１を隣接セル情報から適切に削除することができる。
【０２９３】
なお、本発明の第２の実施の形態に係る無線通信システムでは、隣接セル情報生成部１２は、隣接セル情報にどの無線基地局装置を含めるか、および無線基地局装置の順位付けの判断基準としてマクロ基地局／フェムト基地局の別を示す情報を用いる構成であるとしたが、これに限定するものではない。
【０２９４】
たとえばマクロ基地局がオープンアクセスモード、ハイブリッドモードおよびクローズドアクセスモードの３つのアクセスモードを有する場合には、マクロ基地局／フェムト基地局の別に関わらず、アクセスモードの別による順位付けを行なう構成であってもよい。
【０２９５】
また、マクロ基地局が配置されていない無線通信システム、あるいはフェムト基地局だけが無線基地局装置の周辺に配置されている場合においても、マクロ基地局／フェムト基地局の別に関わらず、たとえばアクセスモードの別による順位付けを行なう構成が考えられる。
【０２９６】
すなわち、隣接セル情報生成部１２は、隣接セル情報にどの無線基地局装置を含めるか、および無線基地局装置の順位付けの判断基準としてマクロ基地局／フェムト基地局の別を示す情報を用いない構成であってもよい。
【０２９７】
この場合、属性情報取得部１１は、対象基地局以外の複数の無線基地局装置１０１が、オープンアクセスモード、クローズドアクセスモードおよびハイブリッドモードのいずれで動作しているかを示す属性情報を取得する。
【０２９８】
このように、隣接セル情報にどの無線基地局装置を含めるか、および無線基地局装置の順位付けの判断基準としてアクセスモードの別を示す情報を用いることにより、本発明の第１の実施の形態に係る無線通信システムと比べて、さらに適切な隣接セル情報を生成することができる。
【０２９９】
また、隣接セル情報生成部１２は、対象基地局以外の複数の無線基地局装置１０１を順位付けし、この順位付けにおいて、オープンアクセスモードで動作する無線基地局装置１０１、ハイブリッドモードで動作する無線基地局装置１０１およびクローズドアクセスモードで動作する無線基地局装置１０１の順位をこの順番で高くする。
【０３００】
このような構成により、アクセスモードの別に応じて無線基地局装置１０１の順位付けを適切に行なうことができる。
【０３０１】
あるいは、隣接セル情報生成部１２は、対象基地局以外の複数の無線基地局装置１０１の中から、オープンアクセスモードで動作する無線基地局装置１０１、ハイブリッドモードで動作する無線基地局装置１０１およびクローズドアクセスモードで動作する無線基地局装置１０１の３種類のうちの１種類または２種類を少なくとも除いた隣接セル情報を生成する。
【０３０２】
このような構成により、アクセスモードの別に応じて無線基地局装置１０１を隣接セル情報から適切に削除することができる。
【０３０３】
また、属性情報取得部１１は、対象基地局、および対象基地局以外の複数の無線基地局装置１０１がそれぞれ属する加入者グループをさらに示す属性情報を取得する。
【０３０４】
このように、隣接セル情報にどの無線基地局装置を含めるか、および無線基地局装置の順位付けの判断基準として対象基地局、および対象基地局以外の複数の無線基地局装置１０１について、アクセスモードの別および加入者グループすなわちＣＳＧ  ＩＤの異同を示す情報を用いることにより、さらに適切な隣接セル情報を生成することができる。
【０３０５】
また、隣接セル情報生成部１２は、対象基地局以外の複数の無線基地局装置１０１を順位付けし、対象基地局がクローズドアクセスモードで動作している場合には、この順位付けにおいて、クローズドアクセスモードで動作し、かつ対象基地局と同じ加入者グループに属する無線基地局装置１０１、ハイブリッドモードで動作し、かつ対象基地局と同じ加入者グループに属する無線基地局装置１０１、オープンアクセスモードで動作する無線基地局装置１０１、ハイブリッドモードで動作し、かつ対象基地局と異なる加入者グループに属する無線基地局装置１０１をこの順番で高くする。
【０３０６】
このような構成により、アクセスモードの別および加入者グループすなわちＣＳＧ  ＩＤの異同に応じて無線基地局装置１０１の順位付けを適切に行なうことができる。
【０３０７】
あるいは、隣接セル情報生成部１２は、対象基地局がクローズドアクセスモードで動作している場合には、対象基地局以外の複数の無線基地局装置１０１の中から、クローズドアクセスモードで動作し、かつ対象基地局と同じ加入者グループに属する無線基地局装置１０１、ハイブリッドモードで動作し、かつ対象基地局と同じ加入者グループに属する無線基地局装置１０１、オープンアクセスモードで動作する無線基地局装置１０１、およびハイブリッドモードで動作し、かつ対象基地局と異なる加入者グループに属する無線基地局装置１０１の４種類のうちの１種類、２種類または３種類を少なくとも除いた隣接セル情報を生成する。
【０３０８】
このような構成により、アクセスモードの別および加入者グループすなわちＣＳＧ  ＩＤの異同に応じて無線基地局装置１０１を隣接セル情報から適切に削除することができる。
【０３０９】
その他の構成および動作は第１の実施の形態に係る無線通信システムと同様であるため、ここでは詳細な説明を繰り返さない。
【０３１０】
次に、本発明の他の実施の形態について図面を用いて説明する。なお、図中同一または相当部分には同一符号を付してその説明は繰り返さない。
【０３１１】
＜第３の実施の形態＞
本実施の形態は、第１の実施の形態に係る無線通信システムと比べて属性情報の内容を変更した無線通信システムに関する。以下で説明する内容以外は第１の実施の形態に係る無線通信システムと同様である。
【０３１２】
本発明の第３の実施の形態に係る無線通信システムでは、属性情報取得部１１は、対象基地局、および対象基地局以外の複数の無線基地局装置１０１が送信する無線信号の周波数を示す属性情報を取得する。
【０３１３】
図２４は、無線基地局装置が取得した属性情報の一例を示す図である。
図２４を参照して、無線基地局装置１０１Ａでは、セルＩＤが１１１１である自己の無線基地局装置１０１Ａから送信される無線信号の搬送周波数がｆ１であり、セルＩＤが２２２２である無線基地局装置１０１Ｂから送信される無線信号の搬送周波数がｆ１であり、セルＩＤが３３３３である無線基地局装置１０１Ｃから送信される無線信号の搬送周波数がｆ１であり、セルＩＤが４４４４である無線基地局装置１０１Ｄから送信される無線信号の搬送周波数がｆ３であり、セルＩＤが５５５５である無線基地局装置１０１Ｅから送信される無線信号の搬送周波数がｆ２であり、セルＩＤが６６６６である無線基地局装置１０１Ｆから送信される無線信号の搬送周波数がｆ３であり、セルＩＤが７７７７である無線基地局装置１０１Ｇから送信される無線信号の搬送周波数がｆ２であることを示す属性情報が得られている。
【０３１４】
無線基地局装置１０１Ａは、他の無線基地局装置から定期的にまたは不定期に送信される報知情報等から、図２４に示す各無線基地局装置の搬送周波数を属性情報として取得する。
【０３１５】
なお、無線基地局装置１０１Ａは、上記各搬送周波数を報知情報等から取得する構成に限らず、無線基地局装置１０１Ａ自身が他の無線基地局装置１０１から送信される無線信号の周波数を測定することにより取得してもよい。また、図８に示すように無線基地局装置１０１Ａが自己と通信中の無線端末装置２０２に、他の無線基地局装置１０１から送信される無線信号の周波数を測定させることにより取得してもよい。
【０３１６】
無線基地局装置１０１Ａと同じ搬送周波数を使用している他の無線基地局装置１０１へ無線端末装置２０２が移動した場合には、当該無線端末装置２０２からの無線信号および当該他の無線基地局装置１０１からの無線信号も、無線基地局装置１０１Ａおよび無線基地局装置１０１Ａと通信している他の無線端末装置２０２にとっては干渉波となる。そこで、無線基地局装置１０１Ａは、自己と異なる搬送周波数を使用する無線基地局装置１０１の優先順位を上げる。
【０３１７】
すなわち、隣接セル情報における優先順位は、（１）自己と異なる搬送周波数を使用する無線基地局装置、（２）自己と同じ搬送周波数を使用する無線基地局装置、の順番となる。
【０３１８】
図２５は、無線基地局装置の生成する隣接セル情報の一例を示す図である。
図２５を参照して、無線基地局装置１０１Ａは、取得した図２４に示す属性情報において、自己と異なる搬送周波数を使用する無線基地局装置１０１の優先順位を上げた隣接セル情報を生成する。すなわち、隣接セル情報生成部１２は、対象基地局以外の複数の無線基地局装置１０１を順位付けし、この順位付けにおいて、属性情報の示す周波数が、対象基地局から送信される無線信号の周波数と異なる無線基地局装置１０１の順位を、周波数の同じ無線基地局装置１０１よりも上げる。
【０３１９】
具体的には、無線基地局装置１０１Ａは、図７に示すシーケンスによって生成した初期の隣接セル情報を、搬送周波数がｆ３のセルＩＤ４４４４（無線基地局装置１０１Ｄ）が１位であり、搬送周波数がｆ３のセルＩＤ６６６６（無線基地局装置１０１Ｆ）が１位であり、搬送周波数がｆ２のセルＩＤ５５５５（無線基地局装置１０１Ｅ）が３位であり、搬送周波数がｆ２のセルＩＤ７７７７（無線基地局装置１０１Ｇ）が３位であり、搬送周波数がｆ１のセルＩＤ２２２２（無線基地局装置１０１Ｂ）が５位であり、搬送周波数がｆ１のセルＩＤ３３３３（無線基地局装置１０１Ｃ）が５位であることを示す隣接セル情報に更新する。
【０３２０】
このような構成により、自己と異なる搬送周波数を使用する無線基地局装置へ移動するように無線端末装置２０２を誘導することができるため、自己の無線基地局装置への干渉を減らすことができる。
【０３２１】
また、ここでは、ｆ１＜ｆ２＜ｆ３であり、搬送周波数ｆ１を使用する無線基地局装置１０１にとって、搬送周波数ｆ３の無線信号が最も干渉しにくいものとする。
【０３２２】
すなわち、隣接セル情報生成部１２は、対象基地局以外の複数の無線基地局装置１０１を順位付けし、この順位付けにおいて、属性情報の示す周波数が、対象基地局から送信される無線信号の周波数に対して遠い無線基地局装置１０１の順位を、対象基地局から送信される無線信号の周波数に対して近い無線基地局装置１０１よりも上げる。
【０３２３】
このような構成により、自己の搬送周波数からより離れた搬送周波数を使用する無線基地局装置へ移動するように無線端末装置２０２を誘導することができるため、自己の無線基地局装置への干渉をさらに減らすことができる。
【０３２４】
そして、無線基地局装置１０１Ａは、隣接セル情報を更新した場合には、たとえば、更新した隣接セル情報を各無線端末装置２０２に報知する。ここで、無線基地局装置１０１Ａは、たとえば順位付けした無線基地局装置のうち、上位からＮ個（Ｎは１以上の整数）を隣接セル情報として無線端末装置２０２に報知する。
【０３２５】
図２６は、無線基地局装置の生成する隣接セル情報の他の例を示す図である。
図２６を参照して、無線端末装置２０２に通知する隣接セル情報に登録可能な無線基地局装置が２つと限定されている場合には、無線基地局装置１０１Ａは、セルＩＤ４４４４（無線基地局装置１０１Ｄ）が１位であり、セルＩＤ６６６６（無線基地局装置１０１Ｆ）が１位であることを示す隣接セル情報を各無線端末装置２０２に通知する。なお、ここでは、隣接セル情報に登録されたすべての無線基地局装置の順位が１位となっているが、この場合、他の何らかの基準に基づいて異なる順位を付すことも可能である。
【０３２６】
図２７は、無線基地局装置の生成する隣接セル情報の他の例を示す図である。
本発明の第３の実施の形態に係る無線通信システムでは、隣接セル情報生成部１２は、属性情報取得部１１によって取得された属性情報に基づいて、対象基地局以外の複数の無線基地局装置１０１を順位付けし、順位付けの結果に基づいた隣接セル情報を生成する構成であるとしたが、これに限定するものではない。
【０３２７】
隣接セル情報生成部１２は、搬送周波数の別による順位付けを行なわず、属性情報の示す属性が所定の属性と一致するか否かに基づいて、対象基地局以外の複数の無線基地局装置１０１を隣接セル情報に登録するか否かをそれぞれ決定する構成であってもよい。より詳細には、隣接セル情報生成部１２は、対象基地局以外の複数の無線基地局装置１０１の中から、属性情報の示す周波数が、対象基地局から送信される無線信号の周波数と同じ無線基地局装置１０１を少なくとも除いた隣接セル情報を生成する。
【０３２８】
図２７を参照して、隣接セル情報生成部１２は、自己の無線基地局装置と異なる搬送周波数を使用する無線基地局装置であることを登録基準とし、自己の無線基地局装置と同じ搬送周波数を使用する無線基地局装置であることを非登録基準とする。この場合、隣接セル情報生成部１２は、無線基地局装置１０１Ｂおよび１０１Ｃを除き、無線基地局装置１０１Ｄ、１０１Ｅ、１０１Ｆおよび１０１Ｇを隣接セル情報に登録する。そして、隣接セル情報送信部１３は、当該隣接セル情報を各無線端末装置２０２に通知する。
【０３２９】
［変形例］
無線端末装置２０２は、基本的に、少なくとも現在通信している無線基地局装置１０１が使用する搬送周波数については受信レベル等の測定を行なう。よって、隣接セル情報に登録する無線基地局装置の使用する搬送周波数が、現在通信している無線基地局装置１０１と同じである場合には、無線端末装置２０２の測定対象の周波数が１つとなり、測定が容易となる。
【０３３０】
そこで、この変形例では、無線基地局装置１０１Ａは、自己と同じ搬送周波数を使用する無線基地局装置を優先する。
【０３３１】
すなわち、隣接セル情報における優先順位は、（１）自己と同じ搬送周波数を使用する無線基地局装置、（２）自己と異なる搬送周波数を使用する無線基地局装置、の順番となる。
【０３３２】
図２８は、無線基地局装置の生成する隣接セル情報の一例を示す図である。ただし、ｆ１＜ｆ２＜ｆ３であるものとする。
【０３３３】
図２８を参照して、無線基地局装置１０１Ａは、取得した図２４に示す属性情報において、自己と同じ搬送周波数を使用する無線基地局装置１０１の優先順位を上げた隣接セル情報を生成する。すなわち、隣接セル情報生成部１２は、属性情報取得部１１によって取得された属性情報に基づいて、対象基地局以外の複数の無線基地局装置１０１を順位付けし、この順位付けにおいて、属性情報の示す周波数が、対象基地局から送信される無線信号の周波数と同じ無線基地局装置１０１の順位を、周波数の異なる無線基地局装置１０１よりも上げる。
【０３３４】
図２８を参照して、無線基地局装置１０１Ａは、図７に示すシーケンスによって生成した初期の隣接セル情報を、搬送周波数がｆ１のセルＩＤ２２２２（無線基地局装置１０１Ｂ）が１位であり、搬送周波数がｆ１のセルＩＤ３３３３（無線基地局装置１０１Ｃ）が１位であり、搬送周波数がｆ２のセルＩＤ５５５５（無線基地局装置１０１Ｅ）が３位であり、搬送周波数がｆ２のセルＩＤ７７７７（無線基地局装置１０１Ｇ）が３位であり、搬送周波数がｆ３のセルＩＤ４４４４（無線基地局装置１０１Ｄ）が５位であり、搬送周波数がｆ３のセルＩＤ６６６６（無線基地局装置１０１Ｆ）が５位であることを示す隣接セル情報に更新する。
【０３３５】
このような構成により、自己と同じ搬送周波数を使用する無線基地局装置へ移動するように無線端末装置２０２を誘導することができるため、無線端末装置２０２における測定を容易にすることができる。
【０３３６】
そして、無線基地局装置１０１Ａは、隣接セル情報を更新した場合には、たとえば、更新した隣接セル情報を各無線端末装置２０２に報知する。ここで、無線基地局装置１０１Ａは、たとえば順位付けした無線基地局装置のうち、上位からＮ個（Ｎは１以上の整数）を隣接セル情報として無線端末装置２０２に報知する。
【０３３７】
図２９は、無線基地局装置の生成する隣接セル情報の他の例を示す図である。
無線端末装置２０２に通知する隣接セル情報に登録可能な無線基地局装置が２つと限定されている場合には、無線基地局装置１０１Ａは、セルＩＤ２２２２（無線基地局装置１０１Ｂ）が１位であり、セルＩＤ３３３３（無線基地局装置１０１Ｃ）が１位であることを示す隣接セル情報を各無線端末装置２０２に通知する。なお、ここでは、隣接セル情報に登録されたすべての無線基地局装置の順位が１位となっているが、この場合、他の何らかの基準に基づいて異なる順位を付すことも可能である。
【０３３８】
図３０は、無線基地局装置の生成する隣接セル情報の他の例を示す図である。
この変形例においても、隣接セル情報生成部１２は、搬送周波数の別による順位付けを行なわず、属性情報の示す属性が所定の属性と一致するか否かに基づいて、対象基地局以外の複数の無線基地局装置１０１を隣接セル情報に登録するか否かをそれぞれ決定する構成であってもよい。より詳細には、隣接セル情報生成部１２は、対象基地局以外の複数の無線基地局装置１０１の中から、属性情報の示す周波数が、対象基地局から送信される無線信号の周波数と異なる無線基地局装置１０１を少なくとも除いた隣接セル情報を生成する。
【０３３９】
図３０を参照して、たとえば、隣接セル情報生成部１２は、自己の無線基地局装置と同じ搬送周波数を使用する無線基地局装置であることを登録基準とし、自己の無線基地局装置と異なる搬送周波数を使用する無線基地局装置であることを非登録基準とする。この場合、隣接セル情報生成部１２は、無線基地局装置１０１Ｄ、１０１Ｅ、１０１Ｆおよび１０１Ｇを除き、無線基地局装置１０１Ｂおよび１０１Ｃを隣接セル情報に登録する。そして、隣接セル情報送信部１３は、当該隣接セル情報を各無線端末装置２０２に通知する。
【０３４０】
以上のように、本発明の第３の実施の形態に係る無線通信システムでは、属性情報取得部１１は、対象基地局、および対象基地局以外の複数の無線基地局装置１０１が送信する無線信号の周波数を示す属性情報を取得する。
【０３４１】
このように、隣接セル情報にどの無線基地局装置を含めるか、および無線基地局装置の順位付けの判断基準として無線基地局装置の搬送周波数を示す情報を用いることにより、適切な隣接セル情報を生成することができる。
【０３４２】
また、本発明の第３の実施の形態に係る無線通信システムでは、隣接セル情報生成部１２は、対象基地局以外の複数の無線基地局装置１０１を順位付けし、この順位付けにおいて、属性情報の示す周波数が、対象基地局から送信される無線信号の周波数と異なる無線基地局装置１０１の順位を、周波数の同じ無線基地局装置１０１よりも上げる。
【０３４３】
このような構成により、無線基地局装置の搬送周波数の別に応じて無線基地局装置１０１の順位付けを適切に行なうことができる。具体的には、自己と異なる搬送周波数を使用する無線基地局装置へ移動するように無線端末装置２０２を誘導することができるため、自己の無線基地局装置への干渉を減らすことができる。
【０３４４】
さらに、本発明の第３の実施の形態に係る無線通信システムでは、属性情報の示す周波数が、対象基地局から送信される無線信号の周波数に対して遠い無線基地局装置１０１の順位を、対象基地局から送信される無線信号の周波数に対して近い無線基地局装置１０１よりも上げる。
【０３４５】
このような構成により、自己の搬送周波数からより離れた搬送周波数を使用する無線基地局装置へ移動するように無線端末装置２０２を誘導することができるため、自己の無線基地局装置への干渉をさらに減らすことができる。
【０３４６】
また、本発明の第３の実施の形態に係る無線通信システムでは、隣接セル情報生成部１２は、対象基地局以外の複数の無線基地局装置１０１を順位付けし、この順位付けにおいて、属性情報の示す周波数が、対象基地局から送信される無線信号の周波数と同じ無線基地局装置１０１の順位を、周波数の異なる無線基地局装置１０１よりも上げる。
【０３４７】
このような構成により、無線基地局装置の搬送周波数の別に応じて無線基地局装置１０１の順位付けを適切に行なうことができる。具体的には、自己と同じ搬送周波数を使用する無線基地局装置へ移動するように無線端末装置２０２を誘導することができるため、無線端末装置２０２における測定を容易にすることができる。
【０３４８】
また、本発明の第３の実施の形態に係る無線通信システムでは、隣接セル情報生成部１２は、対象基地局以外の複数の無線基地局装置１０１の中から、属性情報の示す周波数が、対象基地局から送信される無線信号の周波数と同じ無線基地局装置１０１、または対象基地局から送信される無線信号の周波数と異なる無線基地局装置１０１を少なくとも除いた隣接セル情報を生成する。
【０３４９】
このような構成により、無線基地局装置の搬送周波数の別に応じて無線基地局装置１０１を隣接セル情報から適切に削除することができる。具体的には、自己と異なる搬送周波数を使用する無線基地局装置へ移動するように無線端末装置２０２を誘導することができるため、自己の無線基地局装置への干渉を減らすことができる。あるいは、自己と同じ搬送周波数を使用する無線基地局装置へ移動するように無線端末装置２０２を誘導することができるため、無線端末装置２０２における測定を容易にすることができる。
【０３５０】
なお、本発明の第３の実施の形態に係る無線通信システムでは、属性情報取得部１１は、対象基地局、および対象基地局以外の複数の無線基地局装置１０１が送信する無線信号の周波数を示す属性情報を取得し、隣接セル情報生成部１２は、自己の無線基地局装置と異なる搬送周波数を使用する無線基地局装置、および同じ搬送周波数を使用する無線基地局装置の別による順位付け、あるいは無線基地局装置の登録／非登録を行なう構成であるとしたが、これに限定するものではない。周波数の高低等、隣接セル情報生成部１２が、自己の無線基地局装置の属性とは関係の無い基準に基づいて無線基地局装置の順位付け、あるいは無線基地局装置の登録／非登録を行なう構成であってもよい。この場合、属性情報取得部１１は、対象基地局が送信する無線信号の周波数を示す属性情報を取得する必要がなくなる。
【０３５１】
その他の構成および動作は第１の実施の形態に係る無線通信システムと同様であるため、ここでは詳細な説明を繰り返さない。
【０３５２】
次に、本発明の他の実施の形態について図面を用いて説明する。なお、図中同一または相当部分には同一符号を付してその説明は繰り返さない。
【０３５３】
＜第４の実施の形態＞
本実施の形態は、第１の実施の形態に係る無線通信システムと比べて属性情報の内容を変更した無線通信システムに関する。以下で説明する内容以外は第１の実施の形態に係る無線通信システムと同様である。
【０３５４】
本発明の第４の実施の形態に係る無線通信システムでは、無線基地局装置１０１Ａは、無線端末装置２０２による測定結果等から、図３１に示す各無線基地局装置の無線アクセス方式を属性情報として取得する。
【０３５５】
すなわち、属性情報取得部１１は、対象基地局、および対象基地局以外の複数の無線基地局装置１０１の無線アクセス方式を示す属性情報を取得する。
【０３５６】
図３１は、無線基地局装置が取得した属性情報の一例を示す図である。
図３１を参照して、無線基地局装置１０１Ａでは、セルＩＤが１１１１である自己の無線基地局装置１０１Ａの無線アクセス方式がＬＴＥであり、セルＩＤが２２２２である無線基地局装置１０１Ｂの無線アクセス方式がＬＴＥであり、セルＩＤが３３３３である無線基地局装置１０１Ｃの無線アクセス方式がＬＴＥであり、セルＩＤが４４４４である無線基地局装置１０１Ｄの無線アクセス方式がＬＴＥであり、セルＩＤが５５５５である無線基地局装置１０１Ｅの無線アクセス方式がＷ−ＣＤＭＡであり、セルＩＤが６６６６である無線基地局装置１０１Ｆの無線アクセス方式がＬＴＥであり、セルＩＤが７７７７である無線基地局装置１０１Ｇの無線アクセス方式がＷ−ＣＤＭＡであることを示す属性情報が得られている。
【０３５７】
そして、無線基地局装置１０１Ａは、ＬＴＥ以外の無線アクセス方式に対応していない無線端末装置２０２が隣接セル情報を使用する場合を考慮して、自己と同じ無線アクセス方式を使用する無線基地局装置の順位を上げる。
【０３５８】
すなわち、隣接セル情報における優先順位は、（１）自己と同じ無線アクセス方式を採用する無線基地局装置、（２）自己と異なる無線アクセス方式を採用する無線基地局装置の順番となる。
【０３５９】
図３２は、無線基地局装置の生成する隣接セル情報の一例を示す図である。
図３２を参照して、無線基地局装置１０１Ａは、取得した図３１に示す属性情報において、自己と同じ無線アクセス方式を採用する無線基地局装置の優先順位を上げた隣接セル情報を生成する。すなわち、隣接セル情報生成部１２は、対象基地局以外の複数の無線基地局装置１０１を順位付けし、この順位付けにおいて、属性情報の示す無線アクセス方式が、対象基地局の無線アクセス方式と同じ無線基地局装置１０１の順位を、無線アクセス方式の異なる無線基地局装置１０１よりも上げる。
【０３６０】
具体的には、無線基地局装置１０１Ａは、図７に示すシーケンスによって生成した初期の隣接セル情報を、無線アクセス方式としてＬＴＥを採用するセルＩＤ２２２２（無線基地局装置１０１Ｂ）が１位であり、無線アクセス方式としてＬＴＥを採用するセルＩＤ３３３３（無線基地局装置１０１Ｃ）が１位であり、無線アクセス方式としてＬＴＥを採用するセルＩＤ４４４４（無線基地局装置１０１Ｄ）が１位であり、無線アクセス方式としてＬＴＥを採用するセルＩＤ６６６６（無線基地局装置１０１Ｆ）が１位であり、無線アクセス方式としてＷ−ＣＤＭＡを採用するセルＩＤ５５５５（無線基地局装置１０１Ｅ）が５位であり、無線アクセス方式としてＷ−ＣＤＭＡを採用するセルＩＤ７７７７（無線基地局装置１０１Ｇ）が５位であることを示す隣接セル情報に更新する。
【０３６１】
このような構成により、自己と同じ無線アクセス方式を採用する無線基地局装置へ移動するように無線端末装置２０２を誘導することができるため、無線通信システムにおける動作の安定化を図ることができる。
【０３６２】
そして、無線基地局装置１０１Ａは、隣接セル情報を更新した場合には、たとえば、更新した隣接セル情報を各無線端末装置２０２に報知する。ここで、無線基地局装置１０１Ａは、たとえば順位付けした無線基地局装置のうち、上位からＮ個（Ｎは１以上の整数）を隣接セル情報として無線端末装置２０２に報知する。
【０３６３】
図３３は、無線基地局装置の生成する隣接セル情報の他の例を示す図である。
無線端末装置２０２に通知する隣接セル情報に登録可能な無線基地局装置が４つと限定されている場合には、無線基地局装置１０１Ａは、セルＩＤ２２２２（無線基地局装置１０１Ｂ）が１位であり、セルＩＤ３３３３（無線基地局装置１０１Ｃ）が１位であり、セルＩＤ４４４４（無線基地局装置１０１Ｄ）が１位であり、セルＩＤ６６６６（無線基地局装置１０１Ｆ）が１位であることを示す隣接セル情報を各無線端末装置２０２に通知する。なお、ここでは、隣接セル情報に登録されたすべての無線基地局装置の順位が１位となっているが、この場合、他の何らかの基準に基づいて異なる順位を付すことも可能である。
【０３６４】
図３４は、無線基地局装置の生成する隣接セル情報の他の例を示す図である。
本発明の第４の実施の形態に係る無線通信システムでは、隣接セル情報生成部１２は、属性情報取得部１１によって取得された属性情報に基づいて、対象基地局以外の複数の無線基地局装置１０１を順位付けし、順位付けの結果に基づいた隣接セル情報を生成する構成であるとしたが、これに限定するものではない。
【０３６５】
隣接セル情報生成部１２は、無線アクセス方式の別による順位付けを行なわず、属性情報の示す属性が所定の属性と一致するか否かに基づいて、対象基地局以外の複数の無線基地局装置１０１を隣接セル情報に登録するか否かをそれぞれ決定する構成であってもよい。より詳細には、隣接セル情報生成部１２は、対象基地局以外の複数の無線基地局装置１０１の中から、属性情報の示す無線アクセス方式が、対象基地局の無線アクセス方式と異なる無線基地局装置１０１、または対象基地局の無線アクセス方式と同じ無線基地局装置１０１を少なくとも除いた隣接セル情報を生成する。
【０３６６】
また、本発明の第４の実施の形態に係る無線通信システムでは、属性情報取得部１１は、対象基地局、および対象基地局以外の複数の無線基地局装置１０１の無線アクセス方式を示す属性情報を取得する構成であるとしたが、これに限定するものではない。また、隣接セル情報生成部１２は、自己の無線基地局装置と同じ無線アクセス方式を採用する無線基地局装置、および異なる無線アクセス方式を採用する無線基地局装置の別による順位付け、あるいは無線基地局装置の登録／非登録を行なう構成であるとしたが、これに限定するものではない。通信性能の高低等、隣接セル情報生成部１２が、自己の無線基地局装置の属性とは関係の無い基準に基づいて無線基地局装置の順位付け、あるいは無線基地局装置の登録／非登録を行なう構成であってもよい。この場合、属性情報取得部１１は、対象基地局の無線アクセス方式を示す属性情報を取得する必要がなくなる。
【０３６７】
たとえば、ＬＴＥとＷ−ＣＤＭＡとを比較した場合、新しい技術であるＬＴＥの方がスループット等の通信性能が高いとみなせることから、新しい技術の方を上位とする順位付けを行なう構成であってもよい。
【０３６８】
具体的には、図３４を参照して、隣接セル情報生成部１２は、ＬＴＥを採用する無線基地局装置であることを登録基準とし、Ｗ−ＣＤＭＡを採用する無線基地局装置であることを非登録基準とする。この場合、隣接セル情報生成部１２は、無線基地局装置１０１Ｅおよび１０１Ｇを除き、無線基地局装置１０１Ｂ、１０１Ｃ、１０１Ｄおよび１０１Ｆを隣接セル情報に登録する。そして、隣接セル情報送信部１３は、当該隣接セル情報を各無線端末装置２０２に通知する。
【０３６９】
以上のように、本発明の第４の実施の形態に係る無線通信システムでは、属性情報取得部１１は、対象基地局、および対象基地局以外の複数の無線基地局装置１０１の無線アクセス方式を示す属性情報を取得する。
【０３７０】
このように、隣接セル情報にどの無線基地局装置を含めるか、および無線基地局装置の順位付けの判断基準として無線基地局装置の無線アクセス方式を示す情報を用いることにより、適切な隣接セル情報を生成することができる。
【０３７１】
また、本発明の第４の実施の形態に係る無線通信システムでは、隣接セル情報生成部１２は、対象基地局以外の複数の無線基地局装置１０１を順位付けし、この順位付けにおいて、属性情報の示す無線アクセス方式が、対象基地局の無線アクセス方式と同じ無線基地局装置１０１の順位を、無線アクセス方式の異なる無線基地局装置１０１よりも上げる。
【０３７２】
このような構成により、無線基地局装置の搬送周波数の別に応じて無線基地局装置１０１の順位付けを適切に行なうことができる。具体的には、自己と同じ無線アクセス方式を採用する無線基地局装置へ移動するように無線端末装置２０２を誘導することができるため、無線通信システムにおける動作の安定化を図ることができる。
【０３７３】
また、本発明の第４の実施の形態に係る無線通信システムでは、隣接セル情報生成部１２は、対象基地局以外の複数の無線基地局装置１０１の中から、属性情報の示す無線アクセス方式が、対象基地局の無線アクセス方式と異なる無線基地局装置１０１、または対象基地局の無線アクセス方式と同じ無線基地局装置１０１を少なくとも除いた隣接セル情報を生成する。
【０３７４】
このような構成により、無線基地局装置の無線アクセス方式の別に応じて無線基地局装置１０１を隣接セル情報から適切に削除することができる。
【０３７５】
なお、本発明の第４の実施の形態に係る無線通信システムでは、隣接セル情報生成部１２は、対象基地局の無線アクセス方式と同じ無線基地局装置１０１の優先順位を上げた隣接セル情報を生成する構成であるとしたが、これに限定するものではない。隣接セル情報生成部１２は、対象基地局以外の複数の無線基地局装置１０１を順位付けし、この順位付けにおいて、属性情報の示す無線アクセス方式が、対象基地局の無線アクセス方式と異なる無線基地局装置１０１の順位を、無線アクセス方式の同じ無線基地局装置１０１よりも上げる構成であってもよい。
【０３７６】
このような構成により、対象基地局と無線アクセス方式の異なる無線基地局装置を隣接セル情報に優先して登録すべき状況において、無線基地局装置の無線アクセス方式の別に応じて無線基地局装置１０１の順位付けを適切に行なうことができる。
【０３７７】
その他の構成および動作は第１の実施の形態に係る無線通信システムと同様であるため、ここでは詳細な説明を繰り返さない。
【０３７８】
次に、本発明の他の実施の形態について図面を用いて説明する。なお、図中同一または相当部分には同一符号を付してその説明は繰り返さない。
【０３７９】
＜第５の実施の形態＞
本実施の形態は、第１〜第４の実施の形態に係る無線通信システムと比べて無線基地局装置の代わりにゲートウェイ装置が隣接セル処理装置として動作する無線通信システムに関する。以下で説明する内容以外は第１〜第４の実施の形態に係る無線通信システムと同様である。
【０３８０】
図３５は、本発明の第５の実施の形態に係る無線通信システムの構成を示す図である。
図３５を参照して、無線通信システム３０２は、無線基地局装置１０１Ａ，１０１Ｂ，１０１Ｃ，１０１Ｄ，１０１Ｅ，１０１Ｆと、ゲートウェイ装置２０３と、上位装置２０５とを備える。
【０３８１】
無線通信システム３０２では、無線通信システム３０１と同様に、無線基地局装置１０１Ａ，１０１Ｃ，１０１Ｄ，１０１Ｅ，１０１Ｆがフェムト基地局であり、無線基地局装置１０１Ｂがマクロ基地局である。
【０３８２】
以下、無線基地局装置１０１Ａ，１０１Ｃ，１０１Ｄ，１０１Ｅ，１０１Ｆの各々をフェムト基地局１０１と称する場合がある。また、図３５では、１つのマクロ基地局と、４つのフェムト基地局とを代表的に示しているが、さらに多数のマクロ基地局およびフェムト基地局が設けられてもよい。
【０３８３】
ゲートウェイ装置２０３は、無線基地局装置１０１Ａ，１０１Ｃ，１０１Ｄ，１０１Ｅ，１０１Ｆとコアネットワーク２０４における上位装置２０５との間で送信される種々の通信データの中継処理等を行なう。
【０３８４】
図３６は、本発明の第５の実施の形態に係るゲートウェイ装置の構成を示す図である。
図３６を参照して、ゲートウェイ装置２０３は、基地局側送受信部８１と、データ処理部８２と、コアネットワーク側送受信部８３とを備える。
【０３８５】
基地局側送受信部８１は、データ処理部８２から受けた通信データを各フェムト基地局１０１へ送信し、また、各フェムト基地局１０１から受信した通信データをデータ処理部８２へ出力する。
【０３８６】
データ処理部８２は、基地局側送受信部８１から受けた通信データに種々の処理を行ない、コアネットワーク側送受信部８３へ出力し、また、コアネットワーク側送受信部８３から受けた通信データに種々の処理を行ない、基地局側送受信部８１へ出力する。
【０３８７】
コアネットワーク側送受信部８３は、データ処理部８２から受けた通信データをコアネットワーク２０４における上位装置２０５へ出力し、また、コアネットワーク２０４における上位装置２０５から受信した通信データをデータ処理部８２へ出力する。
【０３８８】
本発明の第５の実施の形態に係る無線通信システムでは、ゲートウェイ装置２０３が、その配下の各フェムト基地局を監視して隣接セル情報の最適化を行なう。
【０３８９】
図３７は、本発明の第５の実施の形態に係るゲートウェイ装置におけるデータ処理部の構成を示す図である。
【０３９０】
図３７を参照して、データ処理部８２は、属性情報取得部２１と、隣接セル情報生成部２２と、隣接セル情報送信部２３とを含む。
【０３９１】
属性情報取得部２１は、少なくとも対象基地局以外の無線基地局装置１０１の属性を示す属性情報を各フェムト基地局１０１からの情報に基づいて取得する。
【０３９２】
隣接セル情報生成部２２は、属性情報取得部２１によって取得された属性情報に基づいて、対象基地局以外の無線通信システム３０２における複数の無線基地局装置のうち、対象基地局の周辺に設置された１または複数の無線基地局装置を示す隣接セル情報を生成する。
【０３９３】
隣接セル情報送信部２３は、隣接セル情報生成部２２によって生成された隣接セル情報を対象基地局へ送信する。
【０３９４】
隣接セル情報生成部２２による隣接セル情報の生成方法の内容は、本発明の第１〜第４の実施の形態に係る隣接セル情報生成部１２による隣接セル情報の生成方法とたとえば同様である。
【０３９５】
図３８は、本発明の第５の実施の形態に係るゲートウェイ装置が隣接セル情報を通知する方法を示す図である。
【０３９６】
図３８を参照して、ゲートウェイ装置２０３は、フェムト基地局１０１Ａ，１０１Ｃ，１０１Ｄ，１０１Ｅ，１０１Ｆに対して、それぞれ対応の隣接セル情報を通知する。
【０３９７】
なお、本発明の第５の実施の形態に係るゲートウェイ装置は、無線基地局装置と別個に設けられる構成であるとしたが、これに限定するものではない。ゲートウェイ装置２０３が、無線通信システム３０２における各無線基地局装置のうちの少なくとも１つに含まれる構成であってもよい。この場合、ゲートウェイ装置２０３を搭載する無線基地局装置は、自己の形成するセルに存在する無線端末装置２０２、および他の無線基地局装置からの情報に基づいて属性情報を取得する。そして、ゲートウェイ装置２０３は、生成した隣接セル情報を、自己の形成するセルに存在する無線端末装置２０２、および他の無線基地局装置へ通知する。
【０３９８】
また、本発明の第１〜第５の実施の形態に係る無線通信システムでは、隣接セル情報生成部は、属性情報取得部によって取得された属性情報に基づいて、対象基地局以外の複数の無線基地局装置のうち、対象基地局の周辺に設置された１または複数の無線基地局装置を示す隣接セル情報を生成する構成であるとしたが、これに限定するものではない。隣接セル情報生成部は、無線基地局装置の属性を示す属性情報に加えて、無線端末装置のハンドオーバ動作履歴を示すハンドオーバ情報、および無線基地局装置から送信される無線信号の測定結果を示す測定情報の組み合わせに基づいて隣接セル情報を生成する構成であってもよい。ハンドオーバ情報としては、たとえば、ハンドオーバ回数およびハンドオーバ成功率が考えられる。また、測定情報としては、たとえば、受信レベル、および無線基地局装置の存在を検出した回数または検出率が考えられる。
【０３９９】
また、本発明の第５の実施の形態に係るゲートウェイ装置と同様に、本発明の第１〜第４の実施の形態において、無線基地局装置１０１の代わりに上位装置２０５が隣接セル処理装置として動作する構成であってもよい。
【０４００】
その他の構成および動作は第１〜第４の実施の形態に係る無線通信システムと同様であるため、ここでは詳細な説明を繰り返さない。
【０４０１】
なお、無線基地局装置が複数のセクタを有している場合、すなわち１つのセルが複数のセクタに分割されている場合には、隣接セル情報において１つのセクタを１つの無線基地局装置として扱えばよく、本発明は、このような場合にも適用される。
【０４０２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０４０３】
１１，２１  属性情報取得部
１２，２２  隣接セル情報生成部
１３，２３  隣接セル情報送信部
１４  電力測定指示部
８１  基地局側送受信部
８２  データ処理部
８３  コアネットワーク側送受信部
９１  アンテナ
９２  サーキュレータ
９３  無線受信部
９４  無線送信部
９５  信号処理部
９６  受信信号処理部
９７  送信信号処理部
１０１Ａ，１０１Ｂ，１０１Ｃ，１０１Ｄ，１０１Ｅ，１０１Ｆ，１０１Ｇ  無線基地局装置
２０２  無線端末装置
２０３  ゲートウェイ装置
２０５  上位装置
３０１  無線通信システム
ＦＣＡ，ＦＣＣ，ＦＣＤ，ＦＣＥ，ＦＣＦ  フェムトセル
ＭＣＢ，ＭＣＧ  マクロセル
【図１】
2012070074.tif 000003
【図２】
2012070074.tif 000004
【図３】
2012070074.tif 000005
【図４】
2012070074.tif 000006
【図５】
2012070074.tif 000007
【図６】
2012070074.tif 000008
【図７】
2012070074.tif 000009
【図８】
2012070074.tif 000010
【図９】
2012070074.tif 000011
【図１０】
2012070074.tif 000012
【図１１】
2012070074.tif 000013
【図１２】
2012070074.tif 000014
【図１３】
2012070074.tif 000015
【図１４】
2012070074.tif 000016
【図１５】
2012070074.tif 000017
【図１６】
2012070074.tif 000018
【図１７】
2012070074.tif 000019
【図１８】
2012070074.tif 000020
【図１９】
2012070074.tif 000021
【図２０】
2012070074.tif 000022
【図２１】
2012070074.tif 000023
【図２２】
2012070074.tif 000024
【図２３】
2012070074.tif 000025
【図２４】
2012070074.tif 000026
【図２５】
2012070074.tif 000027
【図２６】
2012070074.tif 000028
【図２７】
2012070074.tif 000029
【図２８】
2012070074.tif 000030
【図２９】
2012070074.tif 000031
【図３０】
2012070074.tif 000032
【図３１】
2012070074.tif 000033
【図３２】
2012070074.tif 000034
【図３３】
2012070074.tif 000035
【図３４】
2012070074.tif 000036
【図３５】
2012070074.tif 000037
【図３６】
2012070074.tif 000038
【図３７】
2012070074.tif 000039
【図３８】
2012070074.tif 000040